(57)【要約】【課題】従来の技術の代わりとなる負荷の駆動のための態様を提供する。【解決手段】実施の形態は、可変長データが分割される、固定的に特定された数のサブデータパケットを使う可変長データを転送するための転送方法を提供する。【選択図】図１
2019533405.tif 000002
【特許請求の範囲】
【請求項１】
可変長データ（１２０）を送信するためのデータ送信機（１００）であって、
前記データ送信機（１００）は、前記可変長データ（１２０）を、特定された数のサブデータパケット（１４２＿１：１４２＿ｎ）に分配して、前記サブデータパケット（１４２＿１：１４２＿ｎ）を送信するように構成される、データ送信機（１００）。
【請求項２】
前記データ送信機（１００）は、特定された時間間隔（１４３）内に前記サブデータパケット（１４２＿１：１４２＿ｎ）を送信するように構成される、請求項１に記載のデータ送信機（１００）。
【請求項３】
前記データ送信機（１００）は、前記サブデータパケット（１４２＿１：１４２＿ｎ）の間に送信休止があるように、相互に時間的に間隔をおいて配置された前記サブデータパケット（１４２＿１：１４２＿ｎ）を送信するように構成される、請求項１または請求項２に記載のデータ送信機（１００）。
【請求項４】
前記データ送信機（１００）は、前記サブデータパケット（１４２＿１：１４２＿ｎ）の間の時間距離が、前記可変長データ（１２０）の長さに関わらないで一定であるように、特定された時間距離を持つサブデータパケット（１４２＿１：１４２＿ｎ）を送信するように構成される、請求項１〜請求項３のいずれか１つに記載のデータ送信機（１００）。
【請求項５】
前記データ送信機（１００）は、前記サブデータパケット（１４２＿１：１４２＿ｎ）の特定された領域の間の時間距離が、前記可変長データ（１２０）の長さに関わらず一定であるように、前記可変長データ（１２０）の長さに依存して、時間距離を持つ前記サブデータパケット（１４２＿１：１４２＿ｎ）を送信するように構成される、請求項１〜請求項３のいずれか１つに記載のデータ送信機（１００）。
【請求項６】
前記データ送信機（１００）は、同期化シーケンス（１４４）によって、前記サブデータパケット（１４２＿１：１４２＿ｎ）の少なくとも一部を提供するように構成される、請求項１〜請求項５のいずれか１つに記載のデータ送信機（１００）。
【請求項７】
前記データ送信機（１００）は、サブ同期化シーケンス（１４４）によって、前記サブデータパケット（１４２＿１：１４２＿ｎ）の少なくとも一部を提供するように構成される、請求項１〜請求項５のいずれか１つに記載のデータ送信機（１００）。
【請求項８】
前記データ送信機（１００）は、前記サブデータパケット（１４２＿１：１４２＿ｎ）の前記同期化シーケンス（１４４）の間の時間距離（ｔ0，ｔ1，ｔ2）が、前記可変長データ（１２０）の長さに関わらないで一定であるように、前記可変長データ（１２０）の長さに依存して、時間距離を持つ前記サブデータパケット（１４２＿１：１４２＿ｎ）を送信するように構成される、請求項７に記載のデータ送信機（１００）。
【請求項９】
前記データ送信機（１００）は、同期化シーケンスをサブ同期化シーケンスに分割するように構成される、請求項７または請求項８に記載のデータ送信機（１００）。
【請求項１０】
前記データ（１２０）はコアデータおよび拡張データを含み、前記コアデータは固定長から成り、前記拡張データは可変長から成る、請求項１〜請求項９のいずれか１つに記載のデータ送信機（１００）。
【請求項１１】
前記データ送信機（１００）は、前記コアデータに、前記拡張データの長さをシグナリングするための信号情報を提供するように構成される、請求項１０に記載のデータ送信機（１００）。
【請求項１２】
前記データ送信機（１００）は、前記コアデータおよび前記拡張データを前記サブデータパケット（１４２＿１：１４２＿ｎ）に分配するように構成される、請求項１０または請求項１１に記載のデータ送信機（１００）。
【請求項１３】
前記データ送信機（１００）は、前記コアデータのそれぞれの部分が、前記サブデータパケット（１４２＿１：１４２＿ｎ）の中の前記（サブ）同期化シーケンスに隣接して配置されるように、前記コアデータを前記サブデータパケット（１４２＿１：１４２＿ｎ）に分配するように構成される、請求項１０〜請求項１２のいずれか１つに記載のデータ送信機（１００）。
【請求項１４】
前記データ送信機（１００）は、前記コアデータのそれぞれの部分が、前記サブデータパケットの中のそれぞれの前記（サブ）同期化シーケンス（１４４）の前および後ろに等しく配置されるように、前記コアデータを前記サブデータパケット（１４２＿１：１４２＿ｎ）に分配するように構成される、請求項１３に記載のデータ送信機（１００）。
【請求項１５】
前記データ送信機（１００）は、前記拡張データのそれぞれの部分が、前記サブデータパケット（１４２＿１：１４２＿ｎ）の中の前記コアデータのそれぞれの部分に隣接して配置されるように、前記拡張データを前記サブデータパケット（１４２＿１：１４２＿ｎ）に分配するように構成される、請求項１２または請求項１３に記載のデータ送信機（１００）。
【請求項１６】
前記データ送信機（１００）は、前記拡張データのそれぞれの部分が、前記サブデータパケット（１４２＿１：１４２＿ｎ）の中の前記コアデータのそれぞれの部分の前および後ろに等しく配置されるように、前記拡張データを前記サブデータパケット（１４２＿１：１４２＿ｎ）に分配するように構成される、請求項１５に記載のデータ送信機（１００）。
【請求項１７】
前記データ送信機（１００）は、より長い（サブ）同期化シーケンスを持つサブデータパケットが、より短い（サブ）同期化シーケンスを持つサブデータパケット（１４２＿１：１４２＿ｎ）より大きいコアデータの部分を含むように、前記（サブ）同期化シーケンスの長さに依存して、前記コアデータを前記サブデータパケット（１４２＿１：１４２＿ｎ）に分配するように構成される、請求項１〜請求項１６のいずれか１つに記載のデータ送信機（１００）。
【請求項１８】
前記データ送信機（１００）は、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きい拡張データの部分を含むように、前記（サブ）同期化シーケンスの長さに依存して、前記拡張データを前記サブデータパケット（１４２＿１：１４２＿ｎ）に分配するように構成される、請求項１〜請求項１７のいずれか１つに記載のデータ送信機（１００）。
【請求項１９】
前記データ送信機（１００）は、複数のサブデータパケット（１４２＿１：１４２＿ｎ）をサブデータパケット（１４２＿１：１４２＿ｎ）の少なくとも２つの独立ブロック（１６０＿１：１６０＿ｍ）に分割するように構成され、
前記データ送信機（１００）は、サブデータパケット（１４２＿１：１４２＿ｎ）の少なくとも２つのブロック（１６０＿１：１６０＿ｍ）の第１のブロックが、受信機側でそれぞれ検出されるように、サブデータパケット（１４２＿１：１４２＿ｎ）を、サブデータパケット（１４２＿１：１４２＿ｎ）の少なくとも２つのブロック（１６０＿１：１６０＿ｍ）に分割するように構成される、請求項１〜請求項１８のいずれか１つに記載のデータ送信機（１００）。
【請求項２０】
前記データ送信機（１００）は、サブデータパケットの第１のブロックに、サブデータパケットの少なくとも２つのブロック（１６０＿１：１６０＿ｍ）のサブデータパケット（１４２＿１：１４２＿ｎ）の第２のブロックについての情報を提供するように構成される、請求項１９に記載のデータ送信機（１００）。
【請求項２１】
前記情報は、前記サブデータパケットが送信される、長さ、および、サブデータパケット（１４２＿１：１４２＿ｎ）の数、および、ホッピングパターンのうちの少なくとも１つを示す、請求項２０に記載のデータ送信機（１００）。
【請求項２２】
前記データ送信機（１００）は、サブデータパケット（１４２＿１：１４２＿ｎ）の２つのブロック（１６０＿１：１６０＿ｍ）のうちの少なくとも１つに、データ受信機のサブデータパケット（１４２＿１：１４２＿ｎ）を同期化させるための同期化シーケンスを提供するように構成される、請求項１９〜請求項２１のいずれか１つに記載のデータ送信機（１００）。
【請求項２３】
前記データ送信機（１００）は、別のサブデータパケット（１６２＿１：１６２＿２）を前記サブデータパケット（１４２＿１：１４２＿ｎ）に付属するように構成される、請求項１〜請求項２２のいずれか１つに記載のデータ送信機（１００）。
【請求項２４】
前記データ送信機（１００）は、前記サブデータパケット（１４２＿１：１４２＿ｎ）を前記特定された時間間隔（１４３）内に送信するとき、仮に可変長データ（１２０）の長さが、前記サブデータパケット（１４２＿１：１４２＿ｎ）の間の前記送信休止の最小値が達しないほど十分に大きいならば、可変長データ（１２０）を少なくとも１つの追加のサブデータパケット（１６２＿１：１６２＿２）に分配するように構成される、請求項１〜請求項２３のいずれか１つに記載のデータ送信機（１００）。
【請求項２５】
前記データ送信機（１００）は、固定された数の前記サブデータパケット（１４２＿１：１４２＿ｎ）に含まれたデータに、少なくとも１つの追加のサブデータパケット（１６２＿１：１６２＿２）についての情報を提供するように構成される、請求項２４に記載のデータ送信機（１００）。
【請求項２６】
可変長データ（１２０）を受信するためのデータ受信機（１１０）であって、
前記データ受信機（１１０）は、前記可変長データ（１２０）が分配される、特定された数のサブデータパケット（１４２＿１：１４２＿ｎ）を受信するように構成される、データ受信機（１１０）。
【請求項２７】
前記データ受信機（１１０）は、特定された時間間隔内にサブデータパケット（１４２＿１：１４２＿ｎ）を受信するように構成される、請求項２６に記載のデータ受信機（１１０）。
【請求項２８】
前記サブデータパケット（１４２＿１：１４２＿ｎ）は、前記サブデータパケット（１４２＿１：１４２＿ｎ）の間に休止があるように、相互に時間的に間隔をおいて配置される請求項２６または請求項２７に記載のデータ受信機（１１０）。
【請求項２９】
前記サブデータパケット（１４２＿１：１４２＿ｎ）の間の前記送信休止が、前記可変長データ（１２０）の長さに関わらないで一定である、請求項２８に記載のデータ受信機（１１０）。
【請求項３０】
前記サブデータパケット（１４２＿１：１４２＿ｎ）の間の前記送信休止は、前記サブデータパケット（１４２＿１：１４２＿ｎ）の特定された領域の間の時間距離が、前記可変長データ（１２０）の長さに関わらず一定であるように、前記可変長データ（１２０）の長さに依存する、請求項２８に記載のデータ受信機（１１０）。
【請求項３１】
前記サブデータパケット（１４２＿１：１４２＿ｎ）の少なくとも一部が同期化シーケンス（１４４）と共に提供され、
前記データ受信機（１１０）は、前記同期化シーケンス（１４４）に基づいて、前記サブデータパケット（１４２＿１：１４２＿ｎ）を検出するように構成される、請求項２６〜請求項３０のいずれか１つに記載のデータ受信機（１１０）。
【請求項３２】
前記サブデータパケット（１４２＿１：１４２＿ｎ）の少なくとも一部がサブ同期化シーケンス（１４４）と共に提供され、
前記データ受信機（１１０）は、前記サブ同期化シーケンス（１４４）に基づいて、前記サブデータパケット（１４２＿１：１４２＿ｎ）を検出するように構成される、請求項２６〜請求項３０のいずれか１つに記載のデータ受信機（１１０）。
【請求項３３】
前記サブ同期化シーケンス（１４４）の間の時間距離が一定で、および／または、前記データ受信機（１１０）に知られている、請求項３２に記載のデータ受信機（１１０）。
【請求項３４】
前記可変長データ（１２０）はコアデータおよび拡張データを含み、前記コアデータが固定長から成り、前記拡張データが可変長から成る、請求項２６〜請求項３３のいずれか１つに記載のデータ受信機（１１０）。
【請求項３５】
前記コアデータは、前記拡張データの長さをシグナリングするための信号情報を提供され、
前記データ受信機（１１０）は、前記信号情報を使って前記拡張データを受信するように、または、前記拡張データを前記サブデータパケットから取り出すように構成される、請求項３４に記載のデータ受信機（１１０）。
【請求項３６】
前記コアデータおよび前記拡張データが前記サブデータパケットに分配される、請求項３４または請求項３５に記載のデータ受信機（１１０）。
【請求項３７】
前記コアデータは、前記コアデータのそれぞれの部分が、前記サブデータパケット（１４２＿１：１４２＿ｎ）の中の前記（サブ）同期化シーケンスに隣接して配置されるように、前記サブデータパケット（１４２＿１：１４２＿ｎ）に分配される、請求項３４〜請求項３６のいずれか１つに記載のデータ受信機（１１０）。
【請求項３８】
前記コアデータは、前記コアデータのそれぞれの部分が、前記サブデータパケット（１４２＿１：１４２＿ｎ）の中のそれぞれの前記（サブ）同期化シーケンスの前および後ろに等しく配置されるように、前記サブデータパケット（１４２＿１：１４２＿ｎ）に分配される、請求項３７に記載のデータ受信機（１１０）。
【請求項３９】
前記拡張データは、前記拡張データのそれぞれの部分が、前記サブデータパケット（１４２＿１：１４２＿ｎ）の中の前記コアデータのそれぞれの部分に隣接して配置されるように、前記サブデータパケット（１４２＿１：１４２＿ｎ）に分配される、請求項３４〜請求項３８のいずれか１つに記載のデータ受信機（１１０）。
【請求項４０】
前記拡張データは、前記拡張データのそれぞれの部分が、前記サブデータパケット（１４２＿１：１４２＿ｎ）の中の前記コアデータのそれぞれの部分の前および後ろに等しく配置されるように、前記サブデータパケット（１４２＿１：１４２＿ｎ）に分配される、請求項３９に記載のデータ受信機（１１０）。
【請求項４１】
前記コアデータは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きいコアデータの部分を含むように、前記（サブ）同期化シーケンスの長さに依存して、前記サブデータパケット（１４２＿１：１４２＿ｎ）に分配され、
前記データ受信機（１１０）は、それぞれの前記サブデータパケット（１４２＿１：１４２＿ｎ）に含まれた前記（サブ）同期化シーケンスの長さに基づいて、それぞれの前記サブデータパケット（１４２＿１：１４２＿ｎ）に含まれた前記コアデータの部分の長さを決定するように構成される、請求項３４〜請求項４０のいずれか１つに記載のデータ受信機（１１０）。
【請求項４２】
前記拡張データは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きい拡張データの部分を含むように、前記（サブ）同期化シーケンスの長さに依存して、前記サブデータパケット（１４２＿１：１４２＿ｎ）に分配され、
前記データ受信機（１１０）は、それぞれの前記サブデータパケット（１４２＿１：１４２＿ｎ）に含まれた前記（サブ）同期化シーケンスの長さに基づいて、それぞれの前記サブデータパケット（１４２＿１：１４２＿ｎ）に含まれた前記拡張データの部分の長さを決定するように構成される、請求項１〜請求項１７のいずれか１つに記載のデータ送信機（１１０）。
【請求項４３】
前記データ受信機（１１０）は、再符号化されたデータの第１の部分領域を得るために、前記（サブ）同期化シーケンスを使って前記可変長データ（１２０）のそれぞれの部分の第１の領域を復号化して再符号化するように構成され、
前記データ受信機（１１０）は、前記再符号化されたデータの前記第１の部分領域を使って前記可変長データ（１２０）のそれぞれの部分の第２の領域を復号化するように構成される、請求項３７〜請求項４２のいずれか１つに記載のデータ受信機（１１０）。
【請求項４４】
前記データ受信機（１１０）は、再符号化されたデータの第２の部分領域を得るために、再符号化されたデータの前記第１の部分領域を使って前記可変長データ（１２０）のそれぞれの部分の前記第２の領域を復号化するように構成され、
前記データ受信機（１１０）は、再符号化されたデータの前記第２の部分領域を使って可変長データ（１２０）のそれぞれの部分の第３の領域を復号化するように構成される、請求項４３に記載のデータ受信機（１１０）。
【請求項４５】
それぞれの前記サブデータパケット（１４２＿１：１４２＿ｎ）において、前記第１の領域は前記（サブ）同期化シーケンスに直接に隣接して配置され、前記第２の領域は前記第１の領域に直接に隣接して配置される、請求項４３または請求項４４に記載のデータ受信機（１１０）。
【請求項４６】
複数の前記サブデータパケットは、前記サブデータパケット（１４２＿１：１４２＿ｎ）の少なくとも２つのブロックの第１のブロックがそれぞれ検出されるように、前記サブデータパケット（１４２＿１：１４２＿ｎ）の少なくとも２つの独立ブロック（１６０＿１：１６０＿ｍ）に分離され、
前記データ受信機（１１０）は、前記サブデータパケット（１４２＿１：１４２＿ｎ）の少なくとも２つのブロックの前記第１のブロックをそれぞれ検出するように構成される、請求項２６〜請求項４５のいずれか１つに記載のデータ受信機（１１０）。
【請求項４７】
前記サブデータパケット（１４２＿１：１４２＿ｎ）の少なくとも２つのブロック（１６０＿１：１６０＿ｍ）のサブデータパケットの前記第１のブロックは、前記サブデータパケット（１４２＿１：１４２＿ｎ）の少なくとも２つのブロック（１６０＿１：１６０＿ｍ）の第２のブロックについての情報を提供され、
前記データ受信機（１１０）は、前記情報を使って前記サブデータパケット（１４２＿１：１４２＿ｎ）の少なくとも２つのブロック（１６０＿１：１６０＿ｍ）の前記第２のブロックを受信するように構成される、請求項４６に記載のデータ受信機（１１０）。
【請求項４８】
前記情報は、前記サブデータパケット（１４２＿１：１４２＿ｎ）が送信される、長さ、サブデータパケット（１４２＿１：１４２＿ｎ）の数、および、ホッピングパターンのうちの少なくとも１つを含む、請求項４７に記載のデータ受信機（１１０）。
【請求項４９】
前記サブデータパケット（１４２＿１：１４２＿ｎ）の少なくとも２つのブロック（１６０＿１：１６０＿ｍ）のうちの少なくとも１つは、データ受信機（１１０）の前記サブデータパケット（１４２＿１：１４２＿ｎ）を同期化するための同期化シーケンスを提供され、
前記データ受信機（１１０）は、それぞれの前記同期化シーケンスを使って前記サブデータパケット（１４２＿１：１４２＿ｎ）の少なくとも２つの前記ブロック（１６０＿１：１６０＿ｍ）のうちの少なくとも１つを検出するように構成される、請求項４６〜請求項４８のいずれか１つに記載のデータ受信機（１１０）。
【請求項５０】
前記データ受信機（１１０）は、複数の前記サブデータパケット（１４２＿１：１４２＿ｎ）に付属される、少なくとも１つの別のサブデータパケット（１６２＿１：１６２＿２）を受信するように構成される、請求項２６〜請求項４９のいずれか１つに記載のデータ受信機（１１０）。
【請求項５１】
固定された数の前記サブデータパケット（１４２＿１：１４２＿ｎ）に含まれた前記データは、少なくとも１つの追加のサブデータパケット（１６２＿１：１６２＿２）についての情報を提供され、
前記データ受信機（１１０）は、前記情報を使って少なくとも１つの前記追加のサブデータパケット（１４２＿１：１４２＿ｎ）を受信するように構成される、請求項５０に記載のデータ受信機（１１０）。
【請求項５２】
請求項１〜請求項２５のいずれか１つに記載のデータ送信機（１００）と、
請求項２６〜請求項４９のいずれか１つに記載のデータ受信機（１１０）と、
を含む、システム。
【請求項５３】
可変長データを送信するための方法（２００）であって、
前記可変長データを特定された数のサブデータパケットに分配し（２０２）、
前記サブデータパケットを特定された時間間隔内に送信する（２０４）、方法（２００）。
【請求項５４】
可変長データを受信するための方法（２１０）であって、
前記可変長データが分配される、特定された数のサブデータパケットを、特定された時間間隔内に受信する（２１２）、方法（２１０）。
【請求項５５】
請求項５３または請求項５４に記載の方法を実行するためのコンピュータプログラム。
【請求項５６】
可変長データをデータ受信機（１１０）に送信するためのデータ送信機（１００）であって、
前記データ送信機（１００）は、前記サブデータパケット（１４２＿１：１４２＿ｎ）の間の送信休止が最小値を下回らないように、可変長データ（１２０）を固定数のサブデータパケット（１４２＿１：１４２＿ｎ）に分配し、特定された時間部分（１４３）内に前記サブデータパケット（１４２＿１：１４２＿ｎ）を送信するように構成され、
前記データ送信機（１００）は、前記サブデータパケット（１４２＿１：１４２＿ｎ）を前記特定された時間間隔（１４３）内に送信するとき、仮に可変長データ（１２０）の長さが、前記サブデータパケット（１４２＿１：１４２＿ｎ）の間の前記送信休止の最小値が達しないほど十分に大きいならば、可変長データ（１２０）を少なくとも１つの追加のサブデータパケット（１６２＿１：１６２＿２）に分配するように構成される、データ送信機（１００）。
【発明の詳細な説明】
【技術分野】
【０００１】
本願発明の実施の形態は、データを送信するためのデータ送信機に関する。別の実施の形態は、データを受信するためのデータ受信機に関する。幾つかの実施の形態は、低電力消費量を持つネットワークにおける電文分割（telegram splitting）のための可変サブパケット長に関する。
【背景技術】
【０００２】
特許文献１は、電池で動作する送信機のための方法を記載する。データパケットは、送信されるべき実際の情報より小さい送信パケットに分割される（いわゆる電文分割）。電文はいくつかのサブパケットに分配される。そのようなサブパケットはホップと称される。いくつかの情報シンボルはホップにおいて転送される。ホップは、１つの周波数で送信されるか、または、幾つかの周波数にわたって分配される（いわゆる周波数ホッピング）。ホップの間には、送信が起きない休止がある。
【０００３】
典型的なセンサーネットワークにおいて、数十万のセンサーノードが、ただ１つの基地局によってカバーされる。センサーノードは非常に小さい電池を含むだけであるので、転送の統合は殆んど場合において可能でない。電文分割方法によって、非常に高い転送信頼性がこのために達成される。
【０００４】
特許文献２は、環境発電（energy harvesting）要素およびエネルギー源を含むデータ送信装置を記載する。データ送信装置は、電文分割方法を使ってデータを送信するように構成され、送信されるべきサブパケットは、エネルギー供給ユニットによって提供された電気エネルギー量に依存して、送信されるか、または、バッファされて後の時間に送信されるか、または、破棄される。
【０００５】
非特許文献１は、電文分割方法を使う低エネルギーの遠隔測定システムのための改善された範囲を記載する。
【０００６】
非特許文献２は、電文分割方法を使う低エネルギーの遠隔測定システムのための改良された転送信頼性を記載する。
【０００７】
特許文献３は、複数の基地局および複数のエンドポイントを持つ無線通信システムを記載する。通信システムは、データが続いているＣＳＳ変調されたプリアンブル（ＣＳＳ＝チャープスペクトル拡散）を持つ電文を使う。データはプリアンブルよりも低い帯域幅によって変調される。
【先行技術文献】
【特許文献】
【０００８】
【特許文献１】ドイツ国特許公開公報、ＤＥ  １０  ２０１１  ０８２  ０９８  Ｂ４
【特許文献２】国際特許公開公報、ＷＯ  ２０１５／１２８３８５  Ａ１
【特許文献３】米国特許公開公報、２０１６／００９４２６９  Ａ１
【非特許文献】
【０００９】
【非特許文献１】出版物［Ｇ．キリアン、Ｈ．ペトコフ、Ｒ．プシューク、Ｈ．リースケ、Ｆ．ビール、Ｊ．ロバート、およびＡ．ホイベルガー、「電文分割を用いる低電力の遠隔測定システムのための改良された範囲」、スマートオブジェクト、システム、およびテクノロジー（ＳｍａｒｔＳｙｓＴｅｃｈ）の２０１３年ヨーロッパ会議の議事録、２０１３年］
【非特許文献２】出版物［Ｇ．キリアン、Ｍ．ブレイリング、Ｈ．Ｈ．ペトコフ、Ｈ．リースケ、Ｆ．ビール、Ｊ．ロバート、およびＡ．ホイベルガー、「電文分割を用いる遠隔測定システムのための増大する送信信頼性」、コミュニケーションのＩＥＥＥ会報、６３巻、Ｎｏ．３、９４９−９６１ページ、２０１５年３月］
【発明の概要】
【発明が解決しようとする課題】
【００１０】
従って、本願発明の目的は、可変長データを転送し、低いオーバーヘッドを要求し、および／または、高い転送信頼性を提供するための概念を提供することである。
【課題を解決するための手段】
【００１１】
この目的は独立請求項により解決される。
有利な実施は、従属請求項において見付けられる。
【００１２】
実施の形態は、可変長データを送信するためのデータ送信機を提供し、データ送信機は、可変長データを、特定された数のサブデータパケットに分配して、サブデータパケットを送信するように構成される。
【００１３】
実施の形態は、可変長データを受信するためのデータ受信機を提供し、データ受信機は、可変長データが分配される特定された数のサブデータパケットを受信するように構成される。可変長データはその長さに関わらず、常に同じ数のサブデータパケットに分配されるという事実のため、必要なオーバーヘッドは、例えば、どの追加の同期化シーケンスも追加のデータパケットにおいて転送される必要がないので、低く維持される。さらに、転送時間は、転送の干渉の確率がさらに低く維持されるように、短く維持される。
【００１４】
実施の形態において、可変長データは、特定された数のサブデータパケットに（それらの長さに関わらず）分配される。従って、それぞれのサブデータパケットの長さは、可変長データの長さに依存する。
【００１５】
別の実施の形態は、可変長データを送信するための方法を提供し、その方法は、可変長データを特定された数のサブデータパケットに分配するステップ、および、サブデータパケットを送信するステップを含む。
【００１６】
別の実施の形態は、可変長データを受信する方法を提供し、その方法は、可変長データが分配される、特定された数のサブデータパケットを受信するステップ、および、可変長データを得るために、特定された数のサブデータパケットを結合するステップを含む。
【００１７】
別の実施の形態は、可変長データが分配される、固定的に特定された数のサブデータパケットを使用して可変長データを転送するための転送方法を提供する。
【００１８】
以下において、可変長データを送信するためのデータ送信機の好ましい実施の形態が説明される。
【００１９】
実施の形態において、特定された数のサブデータパケットは、固定的に特定された（または不変の）数のサブデータパケットである。データ送信機は、可変長データを、（その長さに関わらず）常に同じ数のサブデータパケットに分配するように構成できる。従って、それぞれのサブデータパケットの長さは、可変長データの長さに依存できる。
【００２０】
実施の形態において、データ送信機は、特定された時間間隔内にサブデータパケットを送信するように構成できる。
【００２１】
例えば、可変長データは、（常に）特定された時間間隔内に、可変長データの長さに関わらず、特定された数のサブデータパケットを使って送信できる。
【００２２】
実施の形態において、データ送信機は、サブデータパケットの間に送信休止があるように、相互に時間的に間隔をおいて配置されたサブデータパケットを送信するように構成できる。
【００２３】
実施の形態において、データ送信機は、サブデータパケットの間の時間間隔が、可変長データの長さに関わらず一定であり続けるように、特定された時間間隔によってサブデータパケットを送信するように構成できる。
【００２４】
例えば、仮にサブデータパケットの長さ（サブパケット長）が、（可変長データの長さに依存して）変化するならば、サブデータパケットの間の休止（送信休止）は一定であり続ける。例えば、３つのサブデータパケットは、それぞれ２４個のシンボルの長さから成り得て、休止は１０ｍｓおよび１５ｍｓである。仮にサブデータパケットの長さが、可変長データの長さのために増大して、１つのサブデータパケット当たり例えば３４個のシンボルに結果として成るならば、休止は今までどおり１０ｍｓおよび１５ｍｓである。
【００２５】
実施の形態において、データ送信機は、サブデータパケットの特定された領域（例えば、サブデータパケット開始の開始、サブデータパケットの中央、サブデータパケットの終了、または、（部分）同期化シーケンス）の間の時間間隔が、可変長データの長さに関わらず一定であり続けるように、可変長データの長さに依存して、時間間隔を持つサブデータパケットを送信するように構成できる。
【００２６】
例えば、サブデータパケットは、特定された領域（例えば、サブデータパケット開始の開始、サブデータパケットの中央、サブデータパケットの終了、または、（部分）同期化シーケンス）の間の距離が、一定であり続けるように、送信できる。例えば、３つのサブデータパケットは、それぞれ２４個のシンボルの長さから成り、休止は１０ｍｓおよび１５ｍｓである。仮にサブデータパケットの長さが、可変長データの長さのために増大して、１つのサブデータパケット当たり例えば３４個のシンボルに結果として成るならば、休止はより短く例えば５ｍｓおよび１０ｍｓである。
【００２７】
実施の形態において、データ送信機は、サブデータパケットの少なくとも一部に同期化シーケンスを提供するように構成できる。
【００２８】
実施の形態において、データ送信機は、サブデータパケットの少なくとも一部にサブ同期化シーケンスを提供するように構成できる。この場合、データ送信機は、同期化シーケンスをサブ同期化シーケンスに分割するように構成できる。
【００２９】
同期化シーケンスまたはサブ同期化シーケンスは、サブデータパケットのどのような位置にも配置できる。好ましくは後続の繰返しの復号化のために、同期化シーケンスまたはサブ同期化シーケンスが１つのサブデータパケットのデータと共に送信されることが、有利である。明らかに、同期化シーケンスまたはサブ同期化シーケンスと、サブデータパケット（ホップ）を分けるためのデータとを分配することも可能である。この場合、コヒーレンスがデータホップと同期化ホップとの間で失われないこと、を保証することが有利である。
【００３０】
例えば、サブデータパケットは、同期化シーケンスまたは部分同期化シーケンスを提供できる。仮にサブデータパケットが同期化シーケンスを提供されるならば、それぞれのサブデータパケットの完全な同期化、および／または、受信データストリームのサブデータパケットの検出または局所化が、それぞれの同期化シーケンスに基づいて受信機側で可能である。仮にサブデータパケットが部分同期化シーケンスを提供されるならば、サブデータパケットの完全な同期化、および／または、受信データストリームのサブデータパケットの検出が、同期化シーケンスが分割される、いくつかのまたは全ての部分同期化シーケンスにわたって受信機側で（単に）可能である。
【００３１】
実施の形態において、データ送信機は、サブデータパケットの同期化シーケンスまたはサブ同期化シーケンスの間の時間距離が、可変長データの長さに関わらず一定であるように、可変長データの長さに依存して、時間距離を持つサブデータパケットを送信するように構成できる。
【００３２】
例えば、サブデータパケットは、同期化シーケンスまたはサブ同期化シーケンスの間の時間距離が一定であるような方法で常に送信できる。
【００３３】
実施の形態において、データはコアデータおよび拡張データを含み、コアデータは固定長から成り、拡張データは可変長から成る。データ送信機は、コアデータを、拡張データの長さを示すための信号情報とともに提供するように構成できる。
【００３４】
データ送信機は、コアデータおよび拡張データをサブデータパケットに分配するように構成される。
【００３５】
例えば、データ送信機は、サブデータパケットにおいて、コアデータのそれぞれの部分が（サブ）同期化シーケンスに隣接して配置されるように、コアデータをサブデータパケットに分配するように構成される。データ送信機は、サブデータパケットにおいて、コアデータのそれぞれの部分がそれぞれの（サブ）同期化シーケンスの前後に等しく配置されるように、コアデータをサブデータパケットに分配するように構成される。
【００３６】
例えば、データ送信機は、サブデータパケットにおいて、拡張データのそれぞれの部分がコアデータのそれぞれの部分に隣接して配置されるように、拡張データをサブデータパケットに分配するように構成できる。データ送信機は、サブデータパケットにおいて、拡張データのそれぞれの部分がコアデータのそれぞれの部分の前後に等しく配置されるように、拡張データをサブデータパケットに分配するように構成できる。
【００３７】
例えば、データ送信機は、より長い同期化シーケンスまたはサブ同期化シーケンスを持つサブデータパケットが、より短い同期化シーケンスまたはサブ同期化シーケンスを持つサブデータパケットより大きいコアデータの部分を含むように、同期化シーケンスまたはサブ同期化シーケンスの長さに依存して、コアデータをサブデータパケットに分配するように構成できる。換言すれば、コアデータはそれぞれのプリアンブル長の長さに従って分配される。すなわち、仮にサブデータパケットにおいてより多くのプリアンブルシンボルがあるならば、より多くのコアデータシンボルは、より少ないプリアンブルシンボルを含むサブデータパケットにおいて、それに付属できる。データ送信機は、より長い同期化シーケンスまたはサブ同期化シーケンスを持つサブデータパケットが、より短い同期化シーケンスまたはサブ同期化シーケンスを持つサブデータパケットより大きい拡張データの部分を含むように、同期化シーケンスまたはサブ同期化シーケンスの長さに依存して、拡張データをサブデータパケットに分割するように構成できる。
【００３８】
実施の形態において、データ送信機は、複数のサブデータパケットを、サブデータパケットの少なくとも２つの独立ブロックに分割するように構成でき、データ送信機は、サブデータパケットの少なくとも２つのブロックの第１ブロックが受信機側でそれぞれ検出できるように、サブデータパケットをサブデータパケットの少なくとも２つのブロックに分割するように構成される
【００３９】
この場合、データ送信機は、サブデータパケットの２つのブロックのうちの少なくとも１つに、データ受信機のサブデータパケットを同期化するための同期化シーケンスを提供するように構成できる。さらに、データ送信機は、サブデータパケットの第１のブロックに、サブデータパケットの少なくとも２つのブロックのサブデータパケットの第２のブロックについての情報を提供するように構成される。例えば、情報は、サブデータパケットが送信される、長さ、サブデータパケットの数、および、ホッピングパターンのうちの少なくとも１つを示し得る。例えば、別のブロックの位置は、第１のブロックにおいて知られているか、または、第１のブロック内に示され得る。これによって、別のブロックは必ずしも検出可能である必要がない。
【００４０】
実施の形態において、特定された時間間隔内にサブデータパケットを送信するとき、仮に可変長データの長さが、サブデータパケットの間の送信休止の最小値が達しないほど十分に大きいならば、データ送信機は、可変長データを少なくとも１つの追加のサブデータパケットに分配するように構成できる。この場合、データ送信機は、固定された数のサブデータパケットに含まれたデータに、少なくとも１つの追加のサブデータパケットについての情報を提供するように構成できる。
【００４１】
以下において、可変長データを受信するためのデータ受信機の好ましい実施の形態が説明される。
【００４２】
実施の形態において、サブデータパケットの特定された数は、サブデータパケットの固定的に特定された（または不変の）数であり得る。例えば、可変長データは、（サブデータパケットの長さに関わらず）常にサブデータパケットの同じ数に分配される。従って、それぞれのサブデータパケットの長さは、可変長データの長さに依存する。
【００４３】
実施の形態において、データ受信機は、特定された時間間隔内にサブデータパケットを受信するように構成される。
【００４４】
実施の形態において、サブデータパケットは、休止がサブデータパケットの間にあるように、相互に時間的に間隔をおいて配置できる。
【００４５】
実施の形態において、サブデータパケットの間の送信休止は、可変長データの長さに関わらず一定であり得る。
【００４６】
例えば、仮にサブデータパケットの長さ（サブパケット長）が、（可変長データの長さに依存して）変わるならば、サブデータパケットの間の休止（送信休止）は、一定であり続け得る。例えば、３つのサブデータパケットは、それぞれ２４個のシンボルの長さから成り得て、休止は１０ｍｓおよび１５ｍｓである。仮にサブデータパケットの長さが可変長データの長さのために増大し、例えば１つのサブデータパケット当たり３４個のシンボルに結果として成るならば、休止は今までどおり１０ｍｓおよび１５ｍｓである。
【００４７】
実施の形態において、サブデータパケットの間の送信休止は、サブデータパケットの特定された領域（例えば、サブデータパケットの開始、サブデータパケットの中央、サブデータパケットまたは（部分）同期化シーケンスの終了）の間の時間距離が、可変長データの長さに関わらず一定であるように、可変長データの長さに依存する。
【００４８】
例えば、サブデータパケットは、特定された領域（例えば、サブデータパケットの開始、サブデータパケットの中央、サブデータパケットの終了、または、（部分）同期化シーケンス）の間の距離が一定であるように送信できる。例えば、３つのサブデータパケットは２４個のシンボルの長さから成り、休止は１０ｍｓおよび１５ｍｓである。仮にサブデータパケットの長さが可変長データの長さのために増大し、かつ、例えば１つのサブデータパケット当たり３４個のシンボルになるならば、休止はより短く、例えば５ｍｓおよび１０ｍｓである。
【００４９】
実施の形態において、サブデータパケットの少なくとも一部は、同期化シーケンスを提供できて、データ受信機は、同期化シーケンスに基づいて、サブデータパケットを検出するように構成できる。
【００５０】
実施の形態において、サブデータパケットの少なくとも一部は、同期化シーケンスを提供でき、データ受信機は、同期化シーケンスに基づいて、サブデータパケットを検出するように構成できる。
【００５１】
例えば、サブデータパケットは、同期化シーケンスまたは部分同期化シーケンスを提供できる。仮にサブデータパケットが同期化シーケンスを提供されるならば、それぞれのサブデータパケットの完全な同期化、および／または、受信データストリームの中のサブデータパケットの検出が、それぞれの同期化シーケンスに基づいて受信機側で可能である。仮にサブデータパケットが部分同期化シーケンスを提供されるならば、サブデータパケットの完全な同期化、および／または、受信データストリームの中のサブデータパケットの検出または位置確認が、同期化シーケンスが分割される、いくつかまたは全ての部分同期化シーケンスにわたって受信機側で（のみ）可能である。
【００５２】
実施の形態において、同期化シーケンスまたはサブ同期化シーケンスの間の時間距離は、可変長データの長さに関わらず一定にでき、および／または、データ受信機に知られることができる。
【００５３】
実施の形態において、可変長データはコアデータおよび拡張データを含み得て、コアデータは固定長から成り、拡張データは可変長から成る。
【００５４】
コアデータは、拡張データの長さを示すための信号情報と共に提供され、データ受信機は、信号情報を使って拡張データを受信するように、または、拡張データをサブデータパケットから取り出すように構成できる。
【００５５】
コアデータおよび拡張データは、サブデータパケットに分配できる。
【００５６】
例えば、コアデータは、サブデータパケットにおいて、コアデータのそれぞれの部分がサブ同期化シーケンスに隣接して配置されるように、サブデータパケットに分配できる。例えば、コアデータは、サブデータパケットにおいて、コアデータのそれぞれの部分が、それぞれの同期化シーケンスまたはサブ同期化シーケンスの前後に等しく配置されるように、サブデータパケットに分配される。
【００５７】
例えば、拡張データは、サブデータパケットにおいて、拡張データのそれぞれの部分がコアデータのそれぞれの部分に隣接して配置されるように、サブデータパケットに分配できる。例えば、拡張データは、サブデータパケットにおいて、拡張データのそれぞれの部分が、コアデータのそれぞれの部分の前後に等しく配置されるように、サブデータパケットに分配できる。
【００５８】
コアデータは、より長い同期化シーケンスまたはサブ同期化シーケンスを持つサブデータパケットが、より短い同期化シーケンスまたはサブ同期化シーケンスを持つサブデータパケットより大きいコアデータの部分を含むように、同期化シーケンスまたはサブ同期化シーケンスの長さに依存して、サブデータパケットに分配できる。この場合、データ受信機は、それぞれのサブデータパケットに含まれた同期化シーケンスまたはサブ同期化シーケンスの長さに基づいて、それぞれのサブデータパケットに含まれたコアデータの部分の長さを決定するように構成できる。
【００５９】
拡張データは、より長い同期化シーケンスまたはサブ同期化シーケンスを持つサブデータパケットが、より短い同期化シーケンスまたはサブ同期化シーケンスを持つサブデータパケットより大きい拡張データの部分を含むように、同期化シーケンスまたはサブ同期化シーケンスの長さに依存して、サブデータパケットに分配できる。この場合、データ受信機は、それぞれのサブデータパケットに含まれた（サブ）同期化シーケンスの長さに基づいて、それぞれのサブデータパケットに含まれた拡張データの部分の長さを決定するように構成できる。
【００６０】
実施の形態において、データ受信機は、再符号化されたデータの第１の部分領域を得るために、同期化シーケンスまたはサブ同期化シーケンスを使って、可変長データのそれぞれの部分の第１の領域を復号化して再符号化するように構成でき、および、再符号化されたデータの第２の部分領域を得るために、再符号化されたデータの第１の部分領域を使って、可変長データのそれぞれの部分の第２の領域を復号化するように構成でき、および、再符号化されたデータの第２の部分領域を使って、可変長データのそれぞれの部分の第３の領域を復号化するように構成できる。
【００６１】
この場合、それぞれのサブデータパケットにおいて、第１の領域は同期化シーケンスまたはサブ同期化シーケンスに直に隣接して配置でき、第２の領域は第１の領域に直に隣接して配置できる。
【００６２】
実施の形態において、複数のサブデータパケットは、サブデータパケットの少なくとも２つのブロックの第１のブロックがそれぞれ検出されるように、サブデータパケットの少なくとも２つの独立ブロックに分割できる。データ受信機は、サブデータパケットの少なくとも２つのブロックの第１のブロックをそれぞれ検出するように構成できる。
【００６３】
サブデータパケットの少なくとも２つのブロックのうちの少なくとも１つ（例えば、少なくとも２つのブロックの第１のブロック）は、データ受信機のサブデータパケットを同期化するための同期化シーケンスを提供できる。データ受信機は、それぞれの同期化シーケンスを使って、サブデータパケットの少なくとも２つのブロックのうちの少なくとも１つを検出するように構成できる。
【００６４】
サブデータパケットの少なくとも２つのブロックのサブデータパケットの第１のブロックは、サブデータパケットの少なくとも２つのブロックの第２のブロックについての情報を提供され得る。データ受信機は、情報を使ってサブデータパケットの少なくとも２つのブロックの第２のブロックを受信するように構成できる。例えば、情報は、サブデータパケットが送信される、長さ、サブデータパケットの数およびホッピングパターンのうちの少なくとも１つを含むことができる。
【００６５】
実施の形態において、データ受信機は、サブデータパケットの数に付属される少なくとも１つの別のサブデータパケットを受信するように構成できる。
【００６６】
実施の形態において、固定された数のサブデータパケットに含まれたデータは、少なくとも１つの追加のサブデータパケットについての情報を提供でき、データ受信機は、情報を使って少なくとも１つの追加のサブデータパケットを受信するように構成できる。
【００６７】
本発明の実施の形態は、付随する図面を参照してより詳細に説明される。
【図面の簡単な説明】
【００６８】
【図１】図１は、本発明の実施の形態に従うデータ送信機およびデータ受信機を持つシステムの概要ブロック回路図を示す。
【図２】図２は、固定的に特定された時間間隔内のサブデータパケットの固定的に特定された数を使う可変長データの転送の間の転送チャンネルの占有を図において示す。
【図３】図３は、サブデータパケットの間の時間距離を特定する送信休止を持つ複数のサブデータパケットを使うデータの転送の間の転送チャンネルの占有を図において示す。
【図４】図４は、固定的に特定された時間間隔内のサブデータパケットの固定的に特定された数を使う可変長データの転送の間の転送チャンネルの占有を図において示し、同期化シーケンスおよび／またはサブ同期化シーケンスの間の距離は一定である。
【図５】図５は、１つの同期化シーケンス、１つのコアシーケンスおよび１つの拡張シーケンスをそれぞれ持つサブデータパケットの構造の概要図を示す。
【図６】図６は、繰返しの復号化のためのシーケンスに従うそれぞれのサブデータパケットのデコーダ側分割と共に、１つの同期化シーケンス、１つのコアシーケンスおよび１つの拡張シーケンスをそれぞれ持つサブデータパケットの構造の概要図を示す。
【図７】図７は、１つの同期化シーケンス、１つのコアシーケンスおよび１つの拡張シーケンスをそれぞれ持つサブデータパケットの構造の概要図を示し、データは、符号化されたデータの距離がデータを符号化するために使った符号の影響を与える長さについて増大するように、それぞれのサブデータパケットの中のコアシーケンスおよび拡張シーケンスに従って配置される。
【図８】図８は、ブロックに結合された複数のサブデータパケットを使う転送データの間の転送チャンネルの占有を図において示す。
【図９】図９は、特定された数のサブデータパケットを使う可変長データの転送の間の転送チャンネルの占有を図において示し、特定された数のサブデータパケットは、追加のサブデータパケットによって追従される。
【図１０】図１０は、実施の形態に従う可変長データを送信するための方法のフローチャートを示す。
【図１１】図１１は、実施の形態に従う可変長データを受信するための方法のフローチャートを示す。
【発明を実施するための形態】
【００６９】
本発明の実施の形態の後続の説明において、同じ要素または同じ効果を持つ要素は、異なる実施の形態のそれらの説明が相互に交換可能であるように、図中において同じ参照数字を提供される。
【００７０】
図１は、本発明の実施の形態に従うデータ送信機１００およびデータ受信機１１０を持つシステムを示す。
【００７１】
データ送信機１００は、可変長データ１２０を、特定された数のサブデータパケット１４２＿１〜１４２＿ｎに分割して、特定された数のサブデータパケット１４２＿１〜１４２＿ｎを送信するように構成される。
【００７２】
データ受信機１１０は、可変長データ１２０が分配される、特定された数のサブデータパケット１４２＿１〜１４２＿ｎを受信するように構成される。データ受信機１１０は、可変長データ１２０を得るために、使用されたチャネル符号化に依存して、さらに、受信されたサブデータパケット１４２＿１〜１４２＿ｎを結合するように、または、受信されたサブデータパケット１４２＿１〜１４２＿ｎの少なくとも一部を結合するように構成される。
【００７３】
実施の形態において、特定された数のサブデータパケット１４２＿１〜１４２＿ｎは、固定的に特定された（または不変の）数のサブデータパケットであり、すなわち、ｎは２以上の自然数であり、ｎは不変である。データ送信機は、従って、（可変長データの長さに関わらず）可変長データを、常に同じ数のサブデータパケット１４２＿１〜１４２＿ｎに分配するように構成できる。それに応じて、それぞれのサブデータパケット１４２＿１〜１４２＿ｎの長さは、可変長データ１２０の長さに依存し得る。
【００７４】
図１において例示的に見られるように、可変長データ１２０は、その長さに関わらず、ｎ＝５のサブデータパケット１４２＿１〜１４２＿５に分配できる。
【００７５】
実施の形態において、サブデータパケット１４２＿１〜１４２＿ｎは、固定的に特定された（または不変の）時間間隔１４３内に転送できる。さらに、サブデータパケット１４２＿１〜１４２＿ｎは、サブデータパケット１４２＿１〜１４２＿ｎの間に送信休止があるように、時間距離によって転送できる。それぞれのサブデータパケット１４２＿１〜１４２＿ｎの長さは可変長データ１２０の長さに依存し、および、データは固定的に特定された時間間隔１４３内に転送されるので、サブデータパケット１４２＿１〜１４２＿ｎの間の送信休止も、可変長データ１２０の長さに依存する。
【００７６】
実施の形態において、サブデータパケットは、時間ホッピングパターンおよび／または周波数ホッピングパターン１４０を使って転送できる。
【００７７】
実施の形態において、周波数ホッピングパターン１４０は、サブデータパケット１４２＿１〜１４２＿ｎが送信されるべきである、送信周波数または送信周波数ホップのシーケンスを示し得る。
【００７８】
例えば、第１のサブデータパケット１４２＿１は、第１の送信周波数によって（または第１の周波数チャンネルにおいて）送信でき、第２のサブデータパケット１４２＿２は、第２の送信周波数によって（または第２の周波数チャンネルにおいて）送信でき、第１の送信周波数および第２の送信周波数は、相互に異なる。周波数ホッピングパターンは、第１の送信周波数および第２の送信周波数を定義する（または特定する、または提示する）。もしくは、周波数ホッピングパターンは、第１の送信周波数、および、第１の送信周波数と第２の送信周波数との間の周波数距離（送信周波数ホップ）を標示する。明らかに、周波数ホッピングパターンは、第１の送信周波数と第２の送信周波数との間の周波数距離（送信周波数ホップ）も提示するだけである。
【００７９】
実施の形態において、送信周波数パターンは、サブデータパケット１４２＿１〜１４２＿ｎが送信されるべきである、送信時間または送信時間距離のシーケンスを提示できる。
【００８０】
例えば、第１のサブデータパケット１４２＿１は第１の送信時間（または第１の送信時間スロット）で送信でき、第２のサブデータパケット１４２＿２は第２の送信時間（または第２の送信時間スロット）で送信でき、第１の送信時間および第２の送信時間は異なる。時間ホッピングパターンは、第１の送信時間および第２の送信時間を定義できる（または特定できる、または提示できる）。もしくは、時間ホッピングパターンは、第１の送信時間、および、第１の送信時間と第２の送信時間との間の時間距離を提示できる。明らかに、時間ホッピングパターンは、第１の送信時間と第２の送信時間との間の時間距離も提示できるだけである。
【００８１】
時間／周波数ホッピングパターン１４０は、周波数ホッピングパターンと時間ホッピングパターン、すなわち、サブデータパケット１４２＿１〜１４２＿ｎが転送される、送信時間または送信時間距離のシーケンス、との結合であり得て、送信周波数（または送信周波数ホップ）は、送信時間（または送信時間距離）に割り当てられる。
【００８２】
換言すれば、データ送信機１００は、電文分割方法を使うことによって、可変長データ１２０を送信するように構成される。この場合、可変長データ１２０は電文であり、データ送信機１００は、電文を、固定的に特定された数のサブデータパケット１４２＿１〜１４２＿ｎ（またはデータサブパケット、または部分データパケット）に分割するように構成され、複数のサブデータパケットのそれぞれは電文より短い。複数のサブデータパケットは、周波数ホッピングパターンおよび／または時間ホッピングパターンを使って送信できる。例えば、周波数ホッピングパターンおよび／または時間ホッピングパターンを通して、複数のサブデータパケットのそれぞれは、送信周波数（または、前のデータパケットについての送信周波数ホップ）、および／または、送信時間（または、送信時間間隔または送信時間スロットまたは前のサブデータパケットについての送信時間ホップ）を割り当てられる。さらに、複数のサブデータパケット１４２＿１〜１４２＿ｎは、サブデータパケット１４２＿１〜１４２＿ｎの間に送信休止があるように、時間距離と共に送信できる。
【００８３】
実施の形態において、データ送信機１００は、データ１２０を送信するように構成された送信ユニット（送信機）１０２を含み得る。送信ユニット１０２は、データ送信機１００のアンテナ１０４に接続できる。データ送信機１００は、データを受信するように構成された受信ユニット（受信機）１０６をさらに含む。受信ユニットは、データ送信機１００のアンテナ１０４または別の（分離）アンテナに接続できる。データ送信機１００は、結合された送信／受信ユニット（トランシーバー）も含み得る。
【００８４】
データ受信機１１０は、データ１２０を受信するように構成された受信ユニット（受信機）１１６を含み得る。受信ユニット１１６は、データ受信機１１０のアンテナ１１４に接続される。さらに、データ受信機１１０は、データを送信するように構成された送信ユニット（送信機）１１２を含み得る。送信ユニット１１２は、データ受信機１１０のアンテナ１１４または別の（分離）アンテナに接続され得る。データ受信機１１０は、結合された送信／受信ユニット（トランシーバー）も含み得る。
【００８５】
実施の形態において、データ送信機１００はセンサーノードであり、一方、データ受信機１１０は基地局であり得る。明らかに、データ送信機１００が基地局であり、一方、データ受信機１１０がセンサーノードであることも可能である。さらに、データ送信機１００とデータ受信機１１０とが、センサーノードであることが可能である。さらに、データ送信機１００とデータ受信機１１０とが、基地局であることが可能である。
【００８６】
以下において、図１に基づいて提案された転送方法の詳細な実施の形態が、より詳細に説明され、それはデータ送信機１００とデータ受信機１１０とにより実行できる。
【００８７】
実施の形態は、遠隔測定システムによって異なる長さを持つデータパケットの転送を可能にする。
【００８８】
実施の形態において、ホップの数（サブデータパケットの数）を適応する代わりに、ホップの長さ（サブデータパケットの長さ）がデータ量について適応される。
【００８９】
データ量についてホップの数を適応させることは、追加の信号情報（例えば、プリアンブルの形式において）が拡張シーケンスに挿入されなければならないというデメリットがある。これはチャンネルの電文の転送期間を増大させて、それ故、より高い感受性を干渉に提供する。さらに、追加のホップと共に、プリアンブルがさらに必要である。別のデメリットは部分パケットの可変数により作成される。仮に部分パケットが電文に付属するならば、転送期間およびそれ故に転送における待ち時間が増加する。これは特に、緊急を要する応用において問題である。
【００９０】
一方、実施の形態において、電文分割方法が使われ、部分パケット（サブデータパケット）１４２＿１〜１４２＿ｎの長さが、部分パケット１４２＿１〜１４２＿ｎの重畳を得ることなく変えられる。仮に周波数ホッピングを持つ伝統的なシステムの部分パケットの長さが変えられるならば、それぞれの部分パケットの時間重畳が発生するであろう。
【００９１】
（第１の詳細な実施の形態）
電文のデータ１２０は、転送され、いくつかのホップ（サブデータパケット）１４２＿１〜１４２＿ｎに分配できる（特許文献１のＤＥ  １０  ２０１１  ０８２  ０９８  Ｂ４を参照）。伝統的なホッピングシステムにおいて、部分パケットは結合方式で転送される。しかし、電文分割方法において、それぞれの部分パケット１４２＿１〜１４２＿ｎの前後に、別のデータのためにより多くのスペースがある。
【００９２】
実施の形態において、部分パケットの数を変える代わりに、部分パケット１４２＿１〜１４２＿ｎの長さが変えられる。これは、仮に小さいデータ１２０があるならば、部分パケット１４２＿１〜１４２＿ｎのシンボルの数（長さとも称される）は、より多くのデータがある場合より低いということを意味する。
【００９３】
図２は、図において固定的に特定された時間間隔１４３内のサブデータパケット１４２＿１〜１４２＿ｎの固定的に特定された数を使う可変長データ１２０の転送の間の転送チャンネルの占有を示す。この場合、縦座標は周波数を表わし、横座標は時間を表わす。
【００９４】
図２において見られるように、可変長データ１２０は、ｎ＝７のサブデータパケット１４２＿１〜１４２＿７に（その長さに関わらず）常に分配できる。サブデータパケット１４２＿１〜１４２＿７は、サブデータパケット１４２＿１〜１４２＿７の間に送信休止があるように、時間および周波数において（すなわち、時間／周波数ホッピングパターンを使って）分配された、固定的に特定された時間間隔１４３内に転送される。
【００９５】
サブデータパケット１４２＿１〜１４２＿７は、同期化シーケンスまたは部分同期化シーケンスを提供され得る。仮にサブデータパケット１４２＿１〜１４２＿７が同期化シーケンスを提供されるならば、それぞれのサブデータパケットの完全な同期化、および／または、受信データストリームのサブデータパケットの検出または位置確認が、それぞれの同期化シーケンスに基づいて受信機側で可能である。仮にサブデータパケット１４２＿１〜１４２＿７が部分同期化シーケンスを提供されるならば、サブデータパケットの完全な同期化、および／または、受信データストリームのサブデータパケットの検出は、同期化シーケンスが分割される、いくつかまたは全ての部分同期化シーケンスにわたって受信機側で（単に）可能である。
【００９６】
換言すれば、図２は可変の部分パケット長を持つ電文の構造を示す。ここで、ミッドアンブル（サブデータパケットの中央に配置された同期化シーケンスまたは部分同期化シーケンス）１４４は、同期化のために採用され、データ１４６は、ミッドアンブル１４４の右（または前）および左（または後）に付属される。データブロックの長さは、転送されるべきデータ量に従って変わる。
【００９７】
ミッドアンブルの代わりに、同期化シーケンスは、部分パケット１４２＿１〜１４２＿ｎのどのような位置にも挿入され、いくつかのシーケンスに分離さえされ得る。
【００９８】
現在のシステムにおいて、部分パケットの間の距離は、部分パケットの間の休止（無転送）によって決定される。この仕組みは図３において見られる。詳しくは、図３は、図においてサブデータパケット１４２＿１〜１４２＿７の間の時間距離ｔ0、ｔ1およびｔ2を特定する送信休止を持つ多数のサブデータパケット１４２＿１〜１４２＿７を使うデータの転送の間の転送チャンネルの占有を示す。この場合、縦座標は周波数を表わし、横座標は時間を表わす。換言すれば、図３は、部分パケット１４２＿１〜１４２＿７の間の休止によるホッピングパターンの定義を示す。部分パケット１４２＿１〜１４２＿７の間の距離が、前の部分パケットの終了から次の部分パケットの開始までによって定義されることが見られる。仮にこれらの休止が異なる長さに対して一定ならば、同期化シーケンスの距離は互いについて変わる。受信機がデータを正しく検出するように、それは、部分パケット１４２＿１〜１４２＿７が持つ長さに関する情報を事前に必要とする。または、同期化シーケンスの間の正しい長さまたは距離が見つけられるまで、全ての可能性が受信機において試される。
【００９９】
実施の形態において、部分パケット１４２＿１〜１４２＿ｎの数ｎは、送信されるべきデータのいくつかの長さに対して等しい（受信機側または波形側について）。部分パケット１４２＿１〜１４２＿ｎの長さは、転送されるべきデータ量によって変わる。
【０１００】
実施の形態において、デコーダにおいて受信されたシンボルの数は、電文長に従って変わり得る（受信機側またはデコーダ側について）。仮にそれが未知ならば、デコーダは、それが転送された確率に関して全ての可能な長さを評価できる。
【０１０１】
（第２の詳細な実施の形態）
前の詳細な実施の形態において、部分パケットの間の休止を一定に維持することは可能である（図３参照）。これは、定義に従って、前の部分パケットの終了から次の部分パケットの開始が特定されるので、休止が部分パケット長さに関わらず特定されることを意味する。しかしながら、これは、同期化シーケンスの間の距離が、異なる電文長に対して最早一定ではなく、異なる距離に対して実行される必要があるいくつかの検出を結果として生じるというデメリットも持ち得る。
【０１０２】
仮に同期化シーケンスの間の距離が、異なる電文長にわたって一定に維持されるならば、ほんの１つの単一の同期化によって全ての長さを実行することが可能である。従って、仮に１つの電文当たりのペイロードデータの長さが増大するならば、部分パケットの間の休止はそれに応じて減少する。
【０１０３】
これは、既に現存する受信機が同じ検出アルゴリズムを使い続けることができ、デコーダだけが可変の電文長に関して適応される必要があるというメリットを持つ。
【０１０４】
図４は、図において固定的に特定された時間間隔１４３内のサブデータパケット１４２＿１〜１４２＿７の固定的に特定された数を使う可変長データ１２０の転送の間の転送チャンネルの占有を示し、距離ｔ3、ｔ4およびｔ5は、同期化シーケンスまたは部分同期化シーケンスの間で一定である。この場合、縦座標は周波数を表わし、横座標は時間を表わす。
【０１０５】
すなわち、図４は、部分パケットの間の同期化シーケンスの距離によるホッピングパターンの定義を示す。
【０１０６】
実施の形態において、部分パケット１４２＿１〜１４２＿ｎの数ｎは、（受信機側または波形側について）転送されるべき異なるデータ長に対して同じであり得る。部分パケットの間の休止は、電文長と共に変化すでき、一方、（部分パケット１４２＿１〜１４２＿ｎの）同期化シーケンスの距離は同じであり続ける。
【０１０７】
（受信機側またはデコーダ側についての）実施の形態において、同期化は全ての電文長に対して一緒に実行され得る。検出のために、転送された電文長を知ることは必要ではない。
【０１０８】
（第３の詳細な実施の形態）
実施の形態において、電文はコアシーケンスおよび拡張シーケンスに分割できる。この場合、コアシーケンスは電文の最小長さを表し、従って、それは常に転送される必要がある。
【０１０９】
電文をコアシーケンスと拡張シーケンスとに分割することによって、完全な電信が転送される前に、事前に受信機が情報の一部を復号化することが可能である。
【０１１０】
図５は、１つの同期化シーケンス、１つのコアシーケンスおよび１つの拡張シーケンスをそれぞれ持つサブデータパケット１４２＿１〜１４２＿ｎの構造の概要図を示す。図５において見られるように、コアシーケンス１４７は、それぞれのサブデータパケット１４２＿１〜１４２＿ｎの中の同期化シーケンス１４４に（直接に）隣接して配置できる。さらに、拡張シーケンス１４８は、それぞれのサブデータパケット１４２＿１〜１４２＿ｎの中のコアシーケンス１４７に（直接に）隣接して配置できる。例えば、コアシーケンスの第１の部分は、同期化シーケンスの前に配置できる一方、コアシーケンスの第２の部分は、同期化シーケンスの後に配置できる。コアシーケンスの第１の部分およびコアシーケンスの第２の部分は、同じ長さを持つ。拡張シーケンスの第１の部分は、コアシーケンスの第１の部分の前に配置できる一方、拡張シーケンスの第２の部分は、コアシーケンスの第２の部分の後に配置できる。拡張シーケンスの第１の部分および拡張シーケンスの第２の部分は、同じ長さを持つ。同期化シーケンスは、それぞれのサブデータパケット１４２＿１〜１４２＿ｎの中央に配置される。
【０１１１】
換言すれば、図５は、コアシーケンスおよび拡張シーケンスを持つサブパケット（または部分パケット）１４２＿１〜１４２＿ｎの構造を示す。コアのシンボルが同期化シンボルの最も近くに配置されることが見られる。これによって、拡張に関わらずコアを復号化することが可能である。従って、拡張の長さは知られる必要がない。
【０１１２】
これは、コアのサイズが既存のシステムの以前から存在する長さに設定できる、という大きなメリットも持つ。従って、既存のシステムの同期化および復号化は使われ続けられ、拡張のための別のデコーダだけが追加される必要がある。
【０１１３】
（送信機側または波形側についての）実施の形態において、電文はコアと拡張とに分割できる。しかし、特許文献１のＤＥ  １０  ２０１１  ０８２  ０９８  Ｂ４と対比すると、これは部分パケット長の変化を通して部分パケットの一定数によって実行される。
【０１１４】
（受信機側またはデコーダ側についての）実施の形態において、復号化は検出の後に２つの別個のステップにおいて実行できる。例えば、同期化シーケンスは、コアシーケンスを復号化するために使われる一方、再符号化されたコアシーケンスは、拡張シーケンスを復号化するために使用できる。
【０１１５】
（第４の詳細な実施の形態）
電文をコアと拡張とに分割することを通して、拡張とは別にコアを復号化する可能性が起きる。従って、例えば全体の電文の長さが、転送電文のコアにおいて、事前にだけではなく、直接的にも示され得る。
【０１１６】
この場合、長さ情報を取り戻すための必須の情報が、送信機のコアに選択的に導入される。第一に、受信機はコアを復号化し、そこから全体の電文の長さを推定する。仮にこの長さが知られるならば、それに応じて必要なデータが例えばバッファからロードされ、拡張を復号化することが実行される。
【０１１７】
仮にエラー訂正（例えばＦＥＣ（前方エラー訂正））がシンボルを転送するために使われるならば、それは２つの独立部分に分離されるか、または、電文の全体の符号化が実行される。しかしながら、第２の場合、事前に長さ情報を部分的に復号化する可能性が存在する必要がある。
【０１１８】
仮に受信機が電文長を事前に知る、または、仮にそれが全ての可能性を試験することによって達成されるならば、どのようなペイロードデータでもコアに挿入できる。長さ情報と別のデータとの結合も可能である。
【０１１９】
コアシンボルの長さは、恣意的に大きいように選択できる。しかしながら、それは、不要な追加のデータの転送を避けるために、予期されるべき最小の電文長より大幅に大きいように選択されるべきではない。仮にコアのために必要であるより少ないデータが存在するならば、これは関連がある。
【０１２０】
長さ情報のシグナリングに加えて、別のパラメータが、受信機が復号化のために使用できるコアに挿入される。
【０１２１】
（送信機側または波形側についての）実施の形態において、長さ情報および／または別の信号情報がコアに導入される。
【０１２２】
（受信機側またはデコーダ側についての）実施の形態において、復号化が、検出の後に２つの別個のステップにおいて実行でき、コアから得られた情報の一部分は、拡張を復号化するために使われる。
【０１２３】
（第５の詳細な実施の形態）
前の詳細な実施の形態に示すように、データは、同期化シーケンス１４４から開始して外側に向かって付属できる。データがより多く存在するにつれて、部分パケット（サブデータパケット）１４２＿１〜１４２＿ｎの長さがより長くなる。これは、シンボルのエラー確率が、評価エラーを通して、同期化シーケンス１４４に対して増大する距離によって直線的に増大する、というデメリットを結果として生じる。これは、同期化シーケンス１１４まで遠いシンボルは、同期化シーケンス１４４まで（それぞれのサブデータパケット１４２＿１〜１４２＿ｎにおいて）近いシンボルより、受信機の評価エラーのために、通常しばしば不正確である、ということを意味する。
【０１２４】
この問題を避けるために、繰返しの復号化が採用され、同期化シーケンス１４４に近いシンボルが、最初に復号化される。それらは再び再符号化によって計算され、従って、受信機での評価のためにも使われる。このため、
より長い同期化シーケンスが提供され、それを使用してパラメータをより適切に推定することができる。このステップは、全体の電信が受信されるまで繰り返すことができる。
【０１２５】
図６は、繰返しの復号化のためのシーケンスに従うそれぞれのサブデータパケットのデコーダ側分割と共に、１つの同期化シーケンス１４４、１つのコアシーケンス１４７および１つの拡張シーケンス１４８をそれぞれ持つサブデータパケット１４２＿１〜１４２＿ｎの構造の概要図を示す。図６において示されたサブデータパケットの構造は、図５において示されたサブデータパケットの構造に一致する。
【０１２６】
図６において示されるように、コアシーケンス１４７は、同期化シーケンス１４４を使ってゼロ番目のステップ１５０において復号化できる。第１のステップ１５２において、復号化されたコアシーケンス（または、復号化されたコアシーケンスの少なくとも一部分）は、再符号化されたコアシーケンスを得るために再符号化でき、拡張シーケンス１４８の第１の部分は、再符号化されたコアシーケンスを使って復号化できる。第２のステップ１５４において、拡張シーケンス（または、少なくともその一部分）の復号化された第１の部分は、拡張シーケンスの再符号化された第１の部分を得るために再符号化でき、拡張シーケンス１４８の第２の部分が、拡張シーケンスの再符号化された第１の部分を使って復号化できる。
【０１２７】
すなわち、図６は、部分パケット（サブデータパケット）の例を使う繰返しの復号化を示す。ここで、コア１４７はステップ０において復号化できる。仮にそのデータが存在するならば、再符号化は実行でき、同期化シーケンス１４４は、評価のためにステップ０の２つの部分によって増大する。そして、評価は再び実行され、ステップ１のデータは復号化できる。同様に、これはステップ２に対しても実行できる。
【０１２８】
可能であるべきこのタイプの繰返しの復号化に対して、インターリーバ（データを相互に分離するための手段）は、この要件を充足できる。しかしながら、実施のための異なる可能性も存在する。それぞれのデコーダステップのためのデータが、（同期化シーケンス１４４から向こうの）さらに外側に向かって付属していることは注目するべきである。図７はそのようなインターリーバの例を示す。
【０１２９】
詳細において、図７は、１つの同期化シーケンス１４４、１つのコアシーケンス１４７および１つの拡張シーケンス１４８をそれぞれ持つサブデータパケット１４２＿１〜１４２＿ｎの構造の概要図を示し、データは、コード化されたデータの距離が、データをコード化するために使ったコードの影響長さについて増大（または最大化）するように、それぞれのサブデータパケット１４２＿１〜１４２＿ｎの中のコアシーケンス１４７および拡張シーケンス１４８に従って配置される。
【０１３０】
換言すれば、図７は繰返しの復号化のためのインターリーバの例を示す。この場合、復号化は、２つのステップにおいて繰返しの方法で実行される。コアが最初に復号化され、拡張がその後に復号化される。
【０１３１】
（送信機側または波形側についての）実施の形態において、インターリーバ設計は、繰返しの復号化が可能であるように選択できる。電文を符号化することは、データの一部分だけを持つ早い部分復号化が可能であるように実行できる。
【０１３２】
（受信機側またはデコーダ側についての）実施の形態において、デコーダは、メッセージ（またはサブデータパケット）の一部分を復号化でき、周波数、位相および／または時間の更新された評価のために得られた情報を使用できる。
【０１３３】
（第６の詳細な実施の形態）
システムのための特定された待ち時間の要件のために、部分パケット（サブデータパケット）１４２＿１〜１４２＿ｎの間の休止は、要件内に（固定的に特定された時間間隔１４３内に）、全ての部分パケット１４２＿１〜１４２＿ｎを転送できるように、最大長を越えない。これは、部分パケット１４２＿１〜１４２＿ｎの間の距離が恣意的に大きくなり得ない、ということを意味する。
【０１３４】
常に許容差を持つ水晶を使うことによって、検出時間に関連したシンボル時間が最早守られないので、全体の電文は一定の期間内に転送できる。全体の電文が転送される必要があるこの時間帯は、コヒーレンス時間と呼ばれる。この効果のため、部分パケットの間の休止の期間を制限することも必要である。
【０１３５】
連続する部分パケット１４２＿１〜１４２＿ｎの２つの同期化シーケンスの間の最小的に定義された距離によって、部分パケット１４２＿１〜１４２＿ｎが越えない最大サイズが存在し、最大サイズは、休止が２つの部分パケットのシンボルによって完全に満たされるとき、正確に到達する。
【０１３６】
しかしながら、実際において、休止が、干渉に対してより頑強になるために、部分パケット１４２＿１〜１４２＿ｎの間にまだ固守されるように、より小さい最大サイズを定義すること、そして、いくつかの状況において、エネルギー蓄積を再ロードできることはより好ましい。
【０１３７】
休止の期間を制限することによって電文の最大サイズを制限しないために、電文はいわゆるブロックに分割できる。これは、仮に部分パケットの上記最大長に達するならば、信号が少なくとも２つのブロックに分離されることを意味する。この仕組みは図８において見られる。
【０１３８】
詳細において、図８は、図においてブロック１６０＿１〜１６０＿ｍに結合された複数のサブデータパケット１４２＿１〜１４２＿ｎを使うことによって、データの転送の間の転送チャンネルの占有を示す。この場合、縦座標は周波数を表わし、横座標は時間を表わす。
【０１３９】
この場合において、サブデータパケット１４２＿１〜１４２＿ｎは、それぞれのブロック１６０＿１〜１６０＿ｍが少なくとも２つのサブデータパケットから成るように、ｍ個のブロック１６０＿１〜１６０＿ｍに（等しく）分配できる。
【０１４０】
図８に見られるように、サブデータパケット１４２＿１〜１４２＿ｎは、第１ブロック１６０＿１がサブデータパケット１４２＿１〜１４２＿３から成り、第２ブロック１６０＿２がサブデータパケット１４２＿４〜１４２＿６から成り、第ｍブロック１６０＿ｍがサブデータパケット１４２＿ｎ−２〜１４２＿ｎから成るように、それぞれ３個のサブデータパケットのブロック１６０＿１〜１６０＿ｍに結合できる。
【０１４１】
すなわち、図８は、いくつかのブロック１６０＿１〜１６０＿ｍへの電文の分割を示す。この場合、それぞれのブロック１６０＿１〜１６０＿ｍにおける数、長さ、同期化シーケンスおよびホッピングパターンが、それが受信機に知られるのと同じくらい長い間、恣意的にかつ上記に関わらず選択できる。
【０１４２】
電文をブロック１６０＿１〜１６０＿ｍに分割する大きなメリットは、ブロック１６０＿１〜１６０＿ｍが個々に検出できるので、コヒーレンス時間の増加になる。
【０１４３】
これによって、水晶オフセットのため流出する同期化時間は、それぞれのブロックの後で再計算でき、それに従って追跡できる。
【０１４４】
仮にエラー訂正が使われるならば、全体の電文にわたって、または、それぞれのブロック１６０＿１〜１６０＿ｍに対して別々に符号化を考慮して、符号化を計算することが可能である。後者は、電文の一部分が早く復号化できるというメリットを持つ。仮にこの早い復号化の間にエラーがあり、送信されたデータが再構成できないならば、別のブロック１６０＿１〜１６０＿ｍの受信がキャンセルでき、電力消費量が従って減少できる。
【０１４５】
（送信機側または波形側についての）実施の形態において、電文は、個々に検出できる少なくとも２つの独立ブロック１６０＿１〜１６０＿ｍに分離できる。この場合、ブロック１６０＿１〜１６０＿ｍの部分ブロック１４２＿１〜１４２＿ｎの数は異なり得て、ブロック１６０＿１〜１６０＿ｍの間の長さは変化でき、ホッピングパターンも互いに独立できる。
【０１４６】
（受信機側またはデコーダ側についての）実施の形態において、別のブロックは第１のブロックの検出の後に復号化でき、受信データは両方のブロックから結合できる。受信機は、改めてそれぞれのブロックを個々に同期化する可能性を持ち得る。
【０１４７】
（第７の詳細な実施の形態）
第１または前のブロックにおいて、来たるブロックの数およびサイズを示すことも可能であり、従って、柔軟な電文長はここでも可能である。以下のブロックについての距離およびホッピングパターンも、示され得る。仮に擬ランダムパターンが生成されるべきならば、例えば、転送データ（例えば、ＣＲＣ（巡回冗長チェック）または未知のペイロードデータ）の一部分が、距離、ホッピングパターン、同期化シーケンスおよび別の転送パラメータを生成するために、前のブロックから導出できる。
【０１４８】
（送信機側または波形側についての）実施の形態において、数、サイズおよびホッピングパターンなどのシグナリングは、第１または前のブロックにおいて実行される。
【０１４９】
（受信機側またはデコーダ側についての）実施の形態において、全体の電文の復号化が、既に復号化された情報の一部分が以下のブロックを示すために使われる後のステップにおいて実行できる。
【０１５０】
（第８の詳細な実施の形態）
ブロック１６０＿１〜１６０＿ｍへの分割の代わりに、電文の最大長をさらに増大させるために、個々の部分パケット（サブデータパケット）を電文に追加することも可能である。この方法は、特許文献１のＤＥ  １０  ２０１１  ０８２  ０９８  Ｂ４において、より詳細に説明される。
【０１５１】
しかしながら、その中で説明された方法は、部分パケットの長さが変化できないというデメリットを持つ。ここで説明された方法によって、可変部分パケット長およびそれらの数の結合が今実現できる。
【０１５２】
第６の詳細な実施の形態において説明したブロックの結合および個々の部分パケットの挿入も可能である。これにより、より高い柔軟性が得られる。例えば、仮に小さなデータだけが上記ブロックの最大サイズを要求されるならば、個々の部分パケットを電文に追加することは意味がある。しかしながら、仮により多くのデータが付属されるならば、コヒーレンス時間が増大するので、新しいブロックを生成することはより好ましい。
【０１５３】
第７の詳細な実施の形態と同様に、前のデータにおいて来るべき部分パケットを示すことも可能である。これは、数、長さ、ホッピングパターンまたは別の転送パラメータであり得る。
【０１５４】
図９は、図において特定された数のサブデータパケット１４２＿１〜１４２＿７を使う可変長データ１２０の転送の間の転送チャンネルの占有を示し、追加のサブデータパケット１６２＿１および１６２＿２は、特定された数のサブデータパケット１４２＿１〜１４２＿７に付属する。
【０１５５】
可変長データ１２０は、結果として生じる最大の許容される長さを越えるとき、特定された時間間隔内に可変長データ１２０を転送するとき、サブデータパケット１４２＿１〜１４２＿７の間の時間的に定義された最小距離、または、サブデータパケット１４２＿１〜１４２＿７のオーバーラップでさえ達しないとき、別のサブデータパケット１６２＿１および１６２＿２に分割できる。
【０１５６】
すなわち、図９は可変数の部分パケットを持つ電文の構造を示す。
【０１５７】
（送信機側または波形側についての）実施の形態において、使用された部分パケットの数は一定ではなく、部分パケットの長さはさらに変化できる。（受信機側またはデコーダ側についての）実施の形態において、個々に復号化されない別の部分パケットが、第１のブロックの検出の後に受信できる。これらの部分パケットのホッピングパターンは定義できるか、または転送できる。
【０１５８】
（別の実施の形態）
図１０は、可変長データを送信するための方法２００のフローチャートを示す。方法２００は、特定された数のサブデータパケットに可変長データを分配するステップ２０２と、サブデータパケットを送信するステップ２０４とを含む。
【０１５９】
図１１は、可変長データを受信するための方法２１０のフローチャートを示す。方法２１０は、可変長データが分配される特定された数のサブデータパケットを受信するステップ２１２を含む。
【０１６０】
実施の形態において、部分パケット長は、不変の数の部分パケットによって変化できる。
【０１６１】
実施の形態において、繰返しの復号化は、長さ情報を得るために実行できる。
【０１６２】
実施の形態において、仮に適用可能ならば、セパレート復号化によって電文をブロックに分離することが実行できる。
【０１６３】
実施の形態は、多くのセンサーノードからのデータを基地局に転送するためのシステムを提供する。しかしながら、仮にチャンネルが調整されないならば、ここに説明された概念はどんな転送のためにも使用でき（ＡＬＯＨＡまたはスロットＡＬＯＨＡアクセス方式）、従って、受信機は、いつパケットが転送されるかを知らない。さらに、他の参加者とのオーバーラップがこのために生じ、転送の間の干渉に導く。
【０１６４】
使用されたラジオ転送帯域は、この転送のために独占的に確保される必要がない。周波数資源は多くの別のシステムと共有される。それは、情報の信頼ある転送をより難しくする。
【０１６５】
実施の形態において、異なる長さのペイロードデータが、電文において転送できる。この場合、電文分離方法が使用でき、それによって部分パケットの長さを変えることが可能であり、どんな追加の信号情報も必要としない。
【０１６６】
実施の形態において、評価精度は、繰返し復号化によって、より長い部分パケットに対して増大される。
【０１６７】
実施の形態において、電文はいくつかの独立ブロックに分離される。これによって、転送されるべきデータの最大量がさらに増大される。
【０１６８】
たとえいくつかの側面が装置の文脈内で説明されても、前記側面は、装置のブロックまたは構造組成物が、また、対応する方法ステップとして、または、方法ステップの機能としても理解されるべきであるように、対応する方法の説明も表している、ことが理解される。それとの類似によって、文脈内でまたは方法ステップとして説明された側面は、また、対応する装置の対応するブロックまたは詳細または機能の説明を表わす。方法ステップのうちのいくつかまたは全てが、マイクロプロセッサ、プログラム可能なコンピュータまたは電子回路などのハードウェア装置を使う間に実行される。いくつかの実施の形態において、あるまたはいくつかの最も重要な方法ステップが、そのようなデバイスにより実行される。
【０１６９】
特定の実施要件に依存して、本発明の実施の形態が、ハードウェアまたはソフトウェアにおいて実施される。実施は、デジタル記憶媒体、例えば、それぞれの方法が実行されるようにプログラム化可能なコンピュータシステムと協働する、その上に格納された電子的に読み取り可能な制御信号を持つ、フロッピーディスク、ＤＶＤ、ブルーレイディスク、ＣＤ、ＲＯＭ、ＰＲＯＭ、ＥＰＲＯＭ、ＥＥＰＲＯＭ、フラッシュメモリ、ハードディスク、または、他の磁気または光学メモリを使用しながら、実施することができる。これは、デジタル記憶媒体がコンピュータ読込み可能である理由である。
【０１７０】
従って、本発明に応じたいくつかの実施の形態は、ここに説明されたどんな方法でも実行されるように、プログラム可能なコンピュータシステムと協働することができる電子的に読み取り可能な制御信号を含む、データキャリアを含む。
【０１７１】
一般に、本発明の実施の形態は、コンピュータプログラム製品がコンピュータで稼働するときに、どんな方法でも実行するために効果的であるプログラムコードを持つコンピュータプログラム製品として実施できる。
【０１７２】
プログラムコードは、また、例えば機械可読キャリアに格納できる。
【０１７３】
他の実施の形態は、ここに説明されたどんな方法でも実行するためのコンピュータプログラムを含み、前記コンピュータプログラムは、機械可読キャリアに格納される。
【０１７４】
すなわち、本発明の方法の実施の形態は、コンピュータプログラムがコンピュータで稼働するときに、ここに説明されたどんな方法でも実行するためのプログラムコードを持つコンピュータプログラムである。
【０１７５】
従って、本発明の方法の別の実施の形態は、ここに説明されたどんな方法でも実行するためのコンピュータプログラムが記録されるデータキャリア（またはデジタル記憶媒体またはコンピュータ可読媒体）である。データキャリア、デジタル記憶媒体または記録媒体は、一般に、有形および／または非一過性および／または非一時性である。
【０１７６】
従って、本発明の方法の別の実施の形態は、ここに説明されたどんな方法でも実行するためのコンピュータプログラムを表すデータストリームまたは信号シーケンスである。データストリームまたは信号シーケンスは、例えば、データ通信リンクまたはインターネットを経て転送されるように構成できる。
【０１７７】
別の実施の形態は、ここに説明されたどんな方法でも実行するように構成または適応された、処理ユニット、例えば、コンピュータまたはプログラム化可能な論理デバイスを含む。
【０１７８】
別の実施の形態は、ここに説明されたどんな方法でも実行するためのコンピュータプログラムがインストールされるコンピュータを含む。
【０１７９】
本発明に応じた別の実施の形態は、ここに記載された方法のうちの少なくとも１つを実行するためのコンピュータプログラムをレシーバに送信するように構成されたデバイスまたはシステムを含む。送信は、例えば、電子式または光学式である。レシーバは、例えば、コンピュータ、携帯デバイス、メモリデバイスまたは同様のデバイスである。デバイスまたはシステムは、例えば、コンピュータプログラムをレシーバに送信するためのファイルサーバーを含んでもよい。
【０１８０】
いくつかの実施の形態において、プログラム可能な論理デバイス（例えば、フィールドプログラム可能なゲートアレイ、ＦＰＧＡ）は、ここに説明された方法の機能のうちのいくつかまたは全てを実行するために使われる。いくつかの実施の形態において、フィールドプログラム可能なゲートアレイは、ここに説明されたどんな方法でも実行するために、マイクロプロセッサと協働できる。一般に、方法は、いくつかの実施の形態において、どのようなハードウェアデバイスによっても実行される。前記ハードウェアデバイスは、コンピュータプロセッサ（ＣＰＵ）などの任意の汎用的に適用可能なハードウェアでもよく、または、ＡＳＩＣなどの方法に特有なハードウェアであってもよい。
【０１８１】
例えば、ここに説明された装置は、ハードウェア装置を使うことによって、または、コンピュータを使うことによって、または、ハードウェアデバイスとコンピュータとの結合を使うことによって実装できる。
【０１８２】
ここに説明した装置、または、ここに説明された装置のどのような組成物でも、少なくとも部分的にハードウェアおよび／またはソフトウェア（コンピュータプログラム）の実装であるかもしれない。
【０１８３】
例えば、ここに説明された方法は、ハードウェア装置を使うこと、またはコンピュータを使うこと、またはハードウェア装置の結合とコンピュータを使うことによって実装される。
【０１８４】
ここに説明された方法、または、ここに説明された方法のどのような組成でも、実行および／またはソフトウェア（コンピュータプログラム）によって少なくとも部分的に実装できる。
【０１８５】
上で説明された実施の形態は、本発明の原則の説明を単に表している。ここに説明された配置と詳細の部分修正とバリエーションが当業者に明白であることは理解される。これは、本発明が実施の形態の説明と議論によってここに提供された特定された詳細というよりも、以下の請求項の範囲だけに制限されることが意図される理由である。
【符号の説明】
【０１８６】
１００  データ送信機
１１０  データ受信機
１２０  可変長データ
１４２＿１〜１４２＿ｎ  サブデータパケット
１４３  時間間隔
１４４  同期化シーケンス
１６０＿１〜１６０＿ｍ  ブロック
ｔ0，ｔ1，ｔ2  時間距離
【図１】
2019533405.tif 000003
【図２】
2019533405.tif 000004
【図３】
2019533405.tif 000005
【図４】
2019533405.tif 000006
【図５】
2019533405.tif 000007
【図６】
2019533405.tif 000008
【図７】
2019533405.tif 000009
【図８】
2019533405.tif 000010
【図９】
2019533405.tif 000011
【図１０】
2019533405.tif 000012
【図１１】
2019533405.tif 000013
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
可変長データ（１２０）を送信するためのデータ送信機（１００）であって、
前記データ送信機（１００）は、前記可変長データ（１２０）を、特定された数のサブデータパケット（１４２＿１：１４２＿ｎ）に分配して、前記サブデータパケット（１４２＿１：１４２＿ｎ）を送信するように構成され、
前記可変長データは、ペイロードデータから成り、
それぞれの前記サブデータパケット（１４２＿１：１４２＿ｎ）のシンボルの数は、前記可変長データの長さに依存する、データ送信機（１００）。
【請求項２】
前記データ送信機（１００）は、前記可変長データを、前記可変長データの長さに関わらず、同じ数の前記サブデータパケットに常に分配するように構成される、請求項１に記載のデータ送信機（１００）。
【請求項３】
前記データ送信機（１００）は、特定された時間間隔（１４３）内に前記サブデータパケット（１４２＿１：１４２＿ｎ）を送信するように構成される、請求項１または請求項２に記載のデータ送信機（１００）。
【請求項４】
前記データ送信機（１００）は、前記サブデータパケット（１４２＿１：１４２＿ｎ）の間に送信休止があるように、相互に時間的に距離をおいてサブデータパケット（１４２＿１：１４２＿ｎ）を送信するように構成される、請求項１〜請求項３のいずれか１つに記載のデータ送信機（１００）。
【請求項５】
前記データ送信機（１００）は、前記サブデータパケット（１４２＿１：１４２＿ｎ）の間の時間距離が、前記可変長データ（１２０）の長さに関わらず一定であるように、特定された時間距離を持つ前記サブデータパケット（１４２＿１：１４２＿ｎ）を送信するように構成される、請求項１〜請求項３のいずれか１つに記載のデータ送信機（１００）。
【請求項６】
前記データ送信機（１００）は、前記サブデータパケット（１４２＿１：１４２＿ｎ）の特定された領域の間の時間距離が、前記可変長データ（１２０）の長さに関わらず一定であるように、前記可変長データ（１２０）の長さに依存して、時間距離を持つ前記サブデータパケット（１４２＿１：１４２＿ｎ）を送信するように構成される、請求項１〜請求項３のいずれか１つに記載のデータ送信機（１００）。
【請求項７】
前記データ送信機（１００）は、同期化シーケンス（１４４）によって、前記サブデータパケット（１４２＿１：１４２＿ｎ）の少なくとも一部を提供するように構成される、請求項１〜請求項６のいずれか１つに記載のデータ送信機（１００）。
【請求項８】
前記データ送信機（１００）は、サブ同期化シーケンス（１４４）によって、前記サブデータパケット（１４２＿１：１４２＿ｎ）の少なくとも一部を提供するように構成される、請求項１〜請求項６のいずれか１つに記載のデータ送信機（１００）。
【請求項９】
前記データ送信機（１００）は、前記サブデータパケット（１４２＿１：１４２＿ｎ）の前記同期化シーケンス（１４４）の間の時間距離（ｔ0，ｔ1，ｔ2）が、前記可変長データ（１２０）の長さに関わらないで一定であるように、前記可変長データ（１２０）の長さに依存して、時間距離を持つ前記サブデータパケット（１４２＿１：１４２＿ｎ）を送信するように構成される、請求項８に記載のデータ送信機（１００）。
【請求項１０】
前記データ送信機（１００）は、同期化シーケンスをサブ同期化シーケンスに分割するように構成される、請求項８または請求項９に記載のデータ送信機（１００）。
【請求項１１】
前記データ（１２０）はコアデータおよび拡張データを含み、前記コアデータは固定長から成り、前記拡張データは可変長から成る、請求項１〜請求項１０のいずれか１つに記載のデータ送信機（１００）。
【請求項１２】
前記データ送信機（１００）は、前記コアデータに、前記拡張データの長さをシグナリングするための信号情報を提供するように構成される、請求項１１に記載のデータ送信機（１００）。
【請求項１３】
前記データ送信機（１００）は、前記コアデータおよび前記拡張データを前記サブデータパケット（１４２＿１：１４２＿ｎ）に分配するように構成される、請求項１１または請求項１２に記載のデータ送信機（１００）。
【請求項１４】
前記データ送信機（１００）は、前記コアデータのそれぞれの部分が、前記サブデータパケット（１４２＿１：１４２＿ｎ）の中の前記（サブ）同期化シーケンス（１４４）に隣接して配置されるように、前記コアデータを前記サブデータパケット（１４２＿１：１４２＿ｎ）に分配するように構成される、請求項１１〜請求項１３のいずれか１つに記載のデータ送信機（１００）。
【請求項１５】
前記データ送信機（１００）は、前記コアデータのそれぞれの部分が、前記サブデータパケットの中のそれぞれの前記（サブ）同期化シーケンス（１４４）の前および後ろに等しく配置されるように、前記コアデータを前記サブデータパケット（１４２＿１：１４２＿ｎ）に分割するように構成される、請求項１４に記載のデータ送信機（１００）。
【請求項１６】
前記データ送信機（１００）は、前記拡張データのそれぞれの部分が、前記サブデータパケット（１４２＿１：１４２＿ｎ）の中の前記コアデータのそれぞれの部分に隣接して配置されるように、前記拡張データを前記サブデータパケット（１４２＿１：１４２＿ｎ）に分配するように構成される、請求項１３または請求項１４に記載のデータ送信機（１００）。
【請求項１７】
前記データ送信機（１００）は、前記拡張データのそれぞれの部分が、前記サブデータパケット（１４２＿１：１４２＿ｎ）の中の前記コアデータのそれぞれの部分の前および後ろに等しく配置されるように、前記拡張データを前記サブデータパケット（１４２＿１：１４２＿ｎ）に分配するように構成される、請求項１６に記載のデータ送信機（１００）。
【請求項１８】
前記データ送信機（１００）は、より長い（サブ）同期化シーケンスを持つサブデータパケットが、より短い（サブ）同期化シーケンスを持つサブデータパケット（１４２＿１：１４２＿ｎ）より大きいコアデータの部分を含むように、前記（サブ）同期化シーケンスの長さに依存して、前記コアデータを前記サブデータパケット（１４２＿１：１４２＿ｎ）に分配するように構成される、請求項１〜請求項１７のいずれか１つに記載のデータ送信機（１００）。
【請求項１９】
前記データ送信機（１００）は、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きい拡張データの部分を含むように、前記（サブ）同期化シーケンスの長さに依存して、前記拡張データを前記サブデータパケット（１４２＿１：１４２＿ｎ）に分配するように構成される、請求項１〜請求項１８のいずれか１つに記載のデータ送信機（１００）。
【請求項２０】
前記データ送信機（１００）は、複数のサブデータパケット（１４２＿１：１４２＿ｎ）をサブデータパケット（１４２＿１：１４２＿ｎ）の少なくとも２つの独立ブロック（１６０＿１：１６０＿ｍ）に分割するように構成され、
前記データ送信機（１００）は、サブデータパケット（１４２＿１：１４２＿ｎ）の少なくとも２つのブロック（１６０＿１：１６０＿ｍ）の第１のブロックが、受信機側でそれぞれ検出されるように、サブデータパケット（１４２＿１：１４２＿ｎ）を、サブデータパケット（１４２＿１：１４２＿ｎ）の少なくとも２つのブロック（１６０＿１：１６０＿ｍ）に分割するように構成される、請求項１〜請求項１９のいずれか１つに記載のデータ送信機（１００）。
【請求項２１】
前記データ送信機（１００）は、サブデータパケットの第１のブロックに、サブデータパケットの少なくとも２つのブロック（１６０＿１：１６０＿ｍ）のサブデータパケット（１４２＿１：１４２＿ｎ）の第２のブロックについての情報を提供するように構成される、請求項２０に記載のデータ送信機（１００）。
【請求項２２】
前記情報は、前記サブデータパケットが送信される、長さ、および、サブデータパケット（１４２＿１：１４２＿ｎ）の数、および、ホッピングパターンのうちの少なくとも１つを示す、請求項２１に記載のデータ送信機（１００）。
【請求項２３】
前記データ送信機（１００）は、サブデータパケット（１４２＿１：１４２＿ｎ）の２つのブロック（１６０＿１：１６０＿ｍ）のうちの少なくとも１つに、データ受信機のサブデータパケット（１４２＿１：１４２＿ｎ）を同期化させるための同期化シーケンスを提供するように構成される、請求項２０〜請求項２２のいずれか１つに記載のデータ送信機（１００）。
【請求項２４】
前記データ送信機（１００）は、別のサブデータパケット（１６２＿１：１６２＿２）を前記サブデータパケット（１４２＿１：１４２＿ｎ）に付属するように構成される、請求項１〜請求項２３のいずれか１つに記載のデータ送信機（１００）。
【請求項２５】
前記データ送信機（１００）は、前記サブデータパケット（１４２＿１：１４２＿ｎ）を前記特定された時間間隔（１４３）内に送信するとき、仮に可変長データ（１２０）の長さが、前記サブデータパケット（１４２＿１：１４２＿ｎ）の間の前記送信休止の最小値が達しないほど十分に大きいならば、可変長データ（１２０）を少なくとも１つの追加のサブデータパケット（１６２＿１：１６２＿２）に分配するように構成される、請求項１〜請求項２４のいずれか１つに記載のデータ送信機（１００）。
【請求項２６】
前記データ送信機（１００）は、固定された数の前記サブデータパケット（１４２＿１：１４２＿ｎ）に含まれたデータに、少なくとも１つの追加のサブデータパケット（１６２＿１：１６２＿２）についての情報を提供するように構成される、請求項２５に記載のデータ送信機（１００）。
【請求項２７】
可変長データ（１２０）を受信するためのデータ受信機（１１０）であって、
前記データ受信機（１１０）は、前記可変長データ（１２０）が分配される、特定された数のサブデータパケット（１４２＿１：１４２＿ｎ）を受信するように構成され、
前記可変長データは、ペイロードデータから成り、
それぞれの前記サブデータパケット（１４２＿１：１４２＿ｎ）のシンボルの数は、前記可変長データの長さに依存する、データ受信機（１１０）。
【請求項２８】
前記可変長データは、前記可変長データの長さに関わらず、等しい数の前記サブデータパケットに常に分配されるように構成される、請求項２７に記載のデータ受信機（１１０）。
【請求項２９】
前記データ受信機（１１０）は、特定された時間間隔内にサブデータパケット（１４２＿１：１４２＿ｎ）を受信するように構成される、請求項２７または請求項２８のいずれか１つに記載のデータ受信機（１１０）。
【請求項３０】
前記サブデータパケット（１４２＿１：１４２＿ｎ）は、前記サブデータパケット（１４２＿１：１４２＿ｎ）の間に休止があるように、相互に時間間隔をおいて配置される請求項２７〜請求項２９のいずれか１つに記載のデータ受信機（１１０）。
【請求項３１】
前記サブデータパケット（１４２＿１：１４２＿ｎ）の間の前記送信休止が、前記可変長データ（１２０）の長さに関わらず一定である、請求項３０に記載のデータ受信機（１１０）。
【請求項３２】
前記サブデータパケット（１４２＿１：１４２＿ｎ）の間の前記送信休止は、前記サブデータパケット（１４２＿１：１４２＿ｎ）の特定された領域の間の時間距離が、前記可変長データ（１２０）の長さに関わらず一定であるように、前記可変長データ（１２０）の長さに依存する、請求項３０に記載のデータ受信機（１１０）。
【請求項３３】
前記サブデータパケット（１４２＿１：１４２＿ｎ）の少なくとも一部が同期化シーケンス（１４４）と共に提供され、
前記データ受信機（１１０）は、前記同期化シーケンス（１４４）に基づいて、前記サブデータパケット（１４２＿１：１４２＿ｎ）を検出するように構成される、請求項２７〜請求項３２のいずれか１つに記載のデータ受信機（１１０）。
【請求項３４】
前記サブデータパケット（１４２＿１：１４２＿ｎ）の少なくとも一部がサブ同期化シーケンス（１４４）と共に提供され、
前記データ受信機（１１０）は、前記サブ同期化シーケンス（１４４）に基づいて、前記サブデータパケット（１４２＿１：１４２＿ｎ）を検出するように構成される、請求項２７〜請求項３２のいずれか１つに記載のデータ受信機（１１０）。
【請求項３５】
前記サブ同期化シーケンス（１４４）の間の時間距離が一定で、および／または、前記データ受信機（１１０）に知られている、請求項３４に記載のデータ受信機（１１０）。
【請求項３６】
前記可変長データ（１２０）はコアデータおよび拡張データを含み、前記コアデータが固定長から成り、前記拡張データが可変長から成る、請求項２７〜請求項３５のいずれか１つに記載のデータ受信機（１１０）。
【請求項３７】
前記コアデータは、前記拡張データの長さをシグナリングするための信号情報を提供され、
前記データ受信機（１１０）は、前記信号情報を使って前記拡張データを受信するように、または、前記拡張データを前記サブデータパケットから取り出すように構成される、請求項３６に記載のデータ受信機（１１０）。
【請求項３８】
前記コアデータおよび前記拡張データが前記サブデータパケットに分配される、請求項３６または請求項３７に記載のデータ受信機（１１０）。
【請求項３９】
前記コアデータは、前記コアデータのそれぞれの部分が、前記サブデータパケット（１４２＿１：１４２＿ｎ）の中の前記（サブ）同期化シーケンスに隣接して配置されるように、前記サブデータパケット（１４２＿１：１４２＿ｎ）に分配される、請求項３６〜請求項３８のいずれか１つに記載のデータ受信機（１１０）。
【請求項４０】
前記コアデータは、前記コアデータのそれぞれの部分が、前記サブデータパケット（１４２＿１：１４２＿ｎ）の中のそれぞれの前記（サブ）同期化シーケンスの前および後ろに等しく配置されるように、前記サブデータパケット（１４２＿１：１４２＿ｎ）に分配される、請求項３９に記載のデータ受信機（１１０）。
【請求項４１】
前記拡張データは、前記拡張データのそれぞれの部分が、前記サブデータパケット（１４２＿１：１４２＿ｎ）の中の前記コアデータのそれぞれの部分に隣接して配置されるように、前記サブデータパケット（１４２＿１：１４２＿ｎ）に分配される、請求項３６〜請求項４０のいずれか１つに記載のデータ受信機（１１０）。
【請求項４２】
前記拡張データは、前記拡張データのそれぞれの部分が、前記サブデータパケット（１４２＿１：１４２＿ｎ）の中の前記コアデータのそれぞれの部分の前および後ろに等しく配置されるように、前記サブデータパケット（１４２＿１：１４２＿ｎ）に分配される、請求項４１に記載のデータ受信機（１１０）。
【請求項４３】
前記コアデータは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きいコアデータの部分を含むように、前記（サブ）同期化シーケンスの長さに依存して、前記サブデータパケット（１４２＿１：１４２＿ｎ）に分割され、
前記データ受信機（１１０）は、それぞれの前記サブデータパケット（１４２＿１：１４２＿ｎ）に含まれた前記（サブ）同期化シーケンスの長さに基づいて、それぞれの前記サブデータパケット（１４２＿１：１４２＿ｎ）に含まれた前記コアデータの部分の長さを決定するように構成される、請求項３６〜請求項４２のいずれか１つに記載のデータ受信機（１１０）。
【請求項４４】
前記拡張データは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）より大きい拡張データの部分を含むように、前記（サブ）同期化シーケンスの長さに依存して、前記サブデータパケット（１４２＿１：１４２＿ｎ）に分配され、
前記データ受信機（１１０）は、それぞれの前記サブデータパケット（１４２＿１：１４２＿ｎ）に含まれた前記（サブ）同期化シーケンスの長さに基づいて、それぞれの前記サブデータパケット（１４２＿１：１４２＿ｎ）に含まれた前記拡張データの部分の長さを決定するように構成される、請求項３６〜請求項４２のいずれか１つに記載のデータ送信機（１１０）。
【請求項４５】
前記データ受信機（１１０）は、再符号化されたデータの第１の部分領域を得るために、前記（サブ）同期化シーケンスを使って前記可変長データ（１２０）のそれぞれの部分の第１の領域を復号化して再符号化するように構成され、
前記データ受信機（１１０）は、前記再符号化されたデータの前記第１の部分領域を使って前記可変長データ（１２０）のそれぞれの部分の第２の領域を復号化するように構成される、請求項３９〜請求項４４のいずれか１つに記載のデータ受信機（１１０）。
【請求項４６】
前記データ受信機（１１０）は、再符号化されたデータの第２の部分領域を得るために、再符号化されたデータの前記第１の部分領域を使って前記可変長データ（１２０）のそれぞれの部分の前記第２の領域を復号化するように構成され、
前記データ受信機（１１０）は、再符号化されたデータの前記第２の部分領域を使って可変長データ（１２０）のそれぞれの部分の第３の領域を復号化するように構成される、請求項４５に記載のデータ受信機（１１０）。
【請求項４７】
それぞれの前記サブデータパケット（１４２＿１：１４２＿ｎ）において、前記第１の領域は前記（サブ）同期化シーケンスに直接に隣接して配置され、前記第２の領域は前記第１の領域に直接に隣接して配置される、請求項４５または請求項４６に記載のデータ受信機（１１０）。
【請求項４８】
複数の前記サブデータパケットは、前記サブデータパケット（１４２＿１：１４２＿ｎ）の少なくとも２つのブロックの第１のブロックがそれぞれ検出されるように、前記サブデータパケット（１４２＿１：１４２＿ｎ）の少なくとも２つの独立ブロック（１６０＿１：１６０＿ｍ）に分離され、
前記データ受信機（１１０）は、前記サブデータパケット（１４２＿１：１４２＿ｎ）の少なくとも２つのブロックの前記第１のブロックをそれぞれ検出するように構成される、請求項２７〜請求項４７のいずれか１つに記載のデータ受信機（１１０）。
【請求項４９】
前記サブデータパケット（１４２＿１：１４２＿ｎ）の少なくとも２つのブロック（１６０＿１：１６０＿ｍ）のサブデータパケットの前記第１のブロックは、前記サブデータパケット（１４２＿１：１４２＿ｎ）の少なくとも２つのブロック（１６０＿１：１６０＿ｍ）の第２のブロックについての情報を提供され、
前記データ受信機（１１０）は、前記情報を使って前記サブデータパケット（１４２＿１：１４２＿ｎ）の少なくとも２つのブロック（１６０＿１：１６０＿ｍ）の前記第２のブロックを受信するように構成される、請求項４８に記載のデータ受信機（１１０）。
【請求項５０】
前記情報は、前記サブデータパケット（１４２＿１：１４２＿ｎ）が送信される、長さ、サブデータパケット（１４２＿１：１４２＿ｎ）の数、および、ホッピングパターンのうちの少なくとも１つを含む、請求項４９に記載のデータ受信機（１１０）。
【請求項５１】
前記サブデータパケット（１４２＿１：１４２＿ｎ）の少なくとも２つのブロック（１６０＿１：１６０＿ｍ）のうちの少なくとも１つは、データ受信機（１１０）の前記サブデータパケット（１４２＿１：１４２＿ｎ）を同期化するための同期化シーケンスを提供され、
前記データ受信機（１１０）は、それぞれの前記同期化シーケンスを使って前記サブデータパケット（１４２＿１：１４２＿ｎ）の少なくとも２つの前記ブロック（１６０＿１：１６０＿ｍ）のうちの少なくとも１つを検出するように構成される、請求項４８〜請求項５０のいずれか１つに記載のデータ受信機（１１０）。
【請求項５２】
前記データ受信機（１１０）は、複数の前記サブデータパケット（１４２＿１：１４２＿ｎ）に付属される、少なくとも１つの別のサブデータパケット（１６２＿１：１６２＿２）を受信するように構成される、請求項２７〜請求項５１のいずれか１つに記載のデータ受信機（１１０）。
【請求項５３】
固定された数の前記サブデータパケット（１４２＿１：１４２＿ｎ）に含まれた前記データは、少なくとも１つの追加のサブデータパケット（１６２＿１：１６２＿２）についての情報を提供され、
前記データ受信機（１１０）は、前記情報を使って少なくとも１つの前記追加のサブデータパケット（１４２＿１：１４２＿ｎ）を受信するように構成される、請求項５０に記載のデータ受信機（１１０）。
【請求項５４】
請求項１〜請求項２６のいずれか１つに記載のデータ送信機（１００）と、
請求項２７〜請求項５３のいずれか１つに記載のデータ受信機（１１０）と、
を含む、システム。
【請求項５５】
可変長データを送信するための方法（２００）であって、
前記可変長データを特定された数のサブデータパケットに分配し（２０２）、
前記サブデータパケットを特定された時間間隔内に送信し（２０４）、
前記可変長データは、ペイロードデータから成り、
それぞれの前記サブデータパケット（１４２＿１：１４２＿ｎ）のシンボルの数は、前記可変長データの長さに依存する、方法（２００）。
【請求項５６】
可変長データを受信するための方法（２１０）であって、
前記可変長データが分配される、特定された数のサブデータパケットを、特定された時間間隔内に受信し（２１２）、
前記可変長データは、ペイロードデータから成り、
それぞれの前記サブデータパケット（１４２＿１：１４２＿ｎ）のシンボルの数は、前記可変長データの長さに依存する、方法（２１０）。
【請求項５７】
請求項５５または請求項５６に記載の方法を実行するためのコンピュータプログラム。
【請求項５８】
可変長データをデータ受信機（１１０）に送信するためのデータ送信機（１００）であって、
前記データ送信機（１００）は、前記サブデータパケット（１４２＿１：１４２＿ｎ）の間の送信休止が最小値を下回らないように、可変長データ（１２０）を固定数のサブデータパケット（１４２＿１：１４２＿ｎ）に分配し、特定された時間部分（１４３）内に前記サブデータパケット（１４２＿１：１４２＿ｎ）を送信するように構成され、
前記データ送信機（１００）は、前記サブデータパケット（１４２＿１：１４２＿ｎ）を前記特定された時間間隔（１４３）内に送信するとき、仮に可変長データ（１２０）の長さが、前記サブデータパケット（１４２＿１：１４２＿ｎ）の間の前記送信休止の最小値が達しないほど十分に大きいならば、可変長データ（１２０）を少なくとも１つの追加のサブデータパケット（１６２＿１：１６２＿２）に分配するように構成され、
前記可変長データは、ペイロードデータから成り、
それぞれの前記サブデータパケット（１４２＿１：１４２＿ｎ）のシンボルの数は、前記可変長データの長さに依存する、データ送信機（１００）。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
可変長データ（１２０）を送信するためのデータ送信機（１００）であって、
前記データ送信機（１００）は、前記可変長データ（１２０）を、特定の数のサブデータパケット（１４２＿１：１４２＿ｎ）に分配して、前記サブデータパケット（１４２＿１：１４２＿ｎ）を送信するように構成され、
前記可変長データはペイロードデータを含み、
個々の前記サブデータパケット（１４２＿１：１４２＿ｎ）の複数のシンボルは、前記可変長データの長さに依存する、データ送信機（１００）。
【請求項２】
前記データ送信機（１００）は、前記可変長データを、前記可変長データの長さに関わらず、同じ数の前記サブデータパケットに常に分配するように構成される、請求項１に記載のデータ送信機（１００）。
【請求項３】
前記データ送信機（１００）は、前記サブデータパケット（１４２＿１：１４２＿ｎ）を、前記可変長データ（１２０）の長さに依存する時間距離と共に送信して、前記サブデータパケット（１４２＿１：１４２＿ｎ）の特定された領域間の時間距離が、前記可変長データ（１２０）の長さに関わらず一定であるようにするように構成される、請求項１または請求項２に記載のデータ送信機（１００）。
【請求項４】
前記データ送信機（１００）は、前記サブデータパケット（１４２＿１：１４２＿ｎ）の少なくとも一部に、同期化シーケンス（１４４）をもたらすように構成される、請求項１〜請求項３のいずれか１つに記載のデータ送信機（１００）。
【請求項５】
前記データ送信機（１００）は、前記サブデータパケット（１４２＿１：１４２＿ｎ）の少なくとも一部に、サブ同期化シーケンス（１４４）をもたらすように構成される、請求項１〜請求項３のいずれか１つに記載のデータ送信機（１００）。
【請求項６】
前記データ送信機（１００）は、前記サブデータパケット（１４２＿１：１４２＿ｎ）を、前記可変長データ（１２０）の長さに依存する時間距離と共に送信して、前記サブデータパケット（１４２＿１：１４２＿ｎ）の前記同期化シーケンス（１４４）の間の時間距離（ｔ0，ｔ1，ｔ2）が、前記可変長データ（１２０）の長さに関わらず、一定であるようにするように構成される、請求項５に記載のデータ送信機（１００）。
【請求項７】
前記データ（１２０）はコアデータおよび拡張データを含み、前記コアデータは固定長を含み、前記拡張データは可変長を含む、請求項１〜請求項６のいずれか１つに記載のデータ送信機（１００）。
【請求項８】
前記データ送信機（１００）は、前記コアデータに、前記拡張データの長さをシグナリングするための信号情報を提供するように構成される、請求項７に記載のデータ送信機（１００）。
【請求項９】
前記データ送信機（１００）は、前記コアデータのそれぞれの部分が、前記サブデータパケット（１４２＿１：１４２＿ｎ）において、前記（サブ）同期化シーケンスに隣接して配置されるように、前記コアデータを前記サブデータパケット（１４２＿１：１４２＿ｎ）に分配するように構成される、請求項７または請求項８に記載のデータ送信機（１００）。
【請求項１０】
前記データ送信機（１００）は、前記コアデータのそれぞれの部分が、前記サブデータパケットにおいて、それぞれの前記（サブ）同期化シーケンス（１４４）の前および後ろに等しく配置されるように、前記コアデータを前記サブデータパケット（１４２＿１：１４２＿ｎ）に分配するように構成される、請求項９に記載のデータ送信機（１００）。
【請求項１１】
前記データ送信機（１００）は、前記拡張データのそれぞれの部分が、前記サブデータパケット（１４２＿１：１４２＿ｎ）において、前記コアデータのそれぞれの部分に隣接して配置されるように、前記拡張データを前記サブデータパケット（１４２＿１：１４２＿ｎ）に分配するように構成される、請求項９または請求項１０に記載のデータ送信機（１００）。
【請求項１２】
前記データ送信機（１００）は、前記拡張データのそれぞれの部分が、前記サブデータパケット（１４２＿１：１４２＿ｎ）において、前記コアデータのそれぞれの部分の前および後ろに等しく配置されるように、前記拡張データを前記サブデータパケット（１４２＿１：１４２＿ｎ）に分配するように構成される、請求項１１に記載のデータ送信機（１００）。
【請求項１３】
前記データ送信機（１００）は、複数の前記サブデータパケット（１４２＿１：１４２＿ｎ）を少なくとも２つの独立したサブデータパケット（１４２＿１：１４２＿ｎ）のブロック（１６０＿１：１６０＿ｍ）に分割するように構成され、
前記データ送信機（１００）は、前記少なくとも２つのサブデータパケット（１４２＿１：１４２＿ｎ）のブロック（１６０＿１：１６０＿ｍ）の第１のブロックが、受信機側で個別に検出することができるように、前記サブデータパケット（１４２＿１：１４２＿ｎ）を、前記少なくとも２つのサブデータパケット（１４２＿１：１４２＿ｎ）のブロック（１６０＿１：１６０＿ｍ）に分割するように構成される、請求項１〜請求項１２のいずれか１つに記載のデータ送信機（１００）。
【請求項１４】
前記データ送信機（１００）は、前記サブデータパケットの第１のブロックに、前記少なくとも２つのサブデータパケットのブロック（１６０＿１：１６０＿ｍ）のサブデータパケット（１４２＿１：１４２＿ｎ）の第２のブロックについての情報を提供するように構成される、請求項１３に記載のデータ送信機（１００）。
【請求項１５】
前記情報は、前記サブデータパケット（１４２＿１：１４２＿ｎ）の長さ、数、および、前記サブデータパケットが送信されるホッピングパターンのうちの少なくとも１つをシグナリングする、請求項１４に記載のデータ送信機（１００）。
【請求項１６】
可変長データ（１２０）を受信するためのデータ受信機（１１０）であって、
前記データ受信機（１１０）は、前記可変長データ（１２０）が分配される、特定の数のサブデータパケット（１４２＿１：１４２＿ｎ）を受信するように構成され、
前記可変長データはペイロードデータを含み、
個々の前記サブデータパケット（１４２＿１：１４２＿ｎ）のシンボルの数は、前記可変長データの長さに依存する、データ受信機（１１０）。
【請求項１７】
前記可変長データは、前記可変長データの長さに関わらず、常に等しい数のサブデータパケット（１４２＿１：１４２＿ｎ）に分配される、請求項１６に記載のデータ受信機（１１０）。
【請求項１８】
前記サブデータパケット（１４２＿１：１４２＿ｎ）の少なくとも一部は同期化シーケンス（１４４）を伴い、
前記データ受信機（１１０）は、前記同期化シーケンス（１４４）に基づいて、前記サブデータパケット（１４２＿１：１４２＿ｎ）を検出するように構成される、請求項１６または請求項１７に記載のデータ受信機（１１０）。
【請求項１９】
前記サブデータパケット（１４２＿１：１４２＿ｎ）の少なくとも一部はサブ同期化シーケンス（１４４）を伴い、
前記データ受信機（１１０）は、前記サブ同期化シーケンス（１４４）に基づいて、前記サブデータパケット（１４２＿１：１４２＿ｎ）を検出するように構成される、請求項１６または請求項１７に記載のデータ受信機（１１０）。
【請求項２０】
前記サブ同期化シーケンス（１４４）間の時間距離が一定、および／または、前記データ受信機（１１０）に既知である、請求項１９に記載のデータ受信機（１１０）。
【請求項２１】
前記可変長データ（１２０）はコアデータおよび拡張データを含み、前記コアデータは固定長を含み、前記拡張データは可変長を含む、請求項１６〜請求項２０のいずれか１つに記載のデータ受信機（１１０）。
【請求項２２】
前記コアデータは、前記拡張データの長さをシグナリングするための信号情報を伴い、
前記データ受信機（１１０）は、前記信号情報を使って前記拡張データを受信する、または、前記拡張データを前記サブデータパケットから取り出すように構成される、請求項２１に記載のデータ受信機（１１０）。
【請求項２３】
前記コアデータは、前記コアデータのそれぞれの部分が、前記サブデータパケット（１４２＿１：１４２＿ｎ）において、前記（サブ）同期化シーケンスに隣接して配置されるように、前記サブデータパケット（１４２＿１：１４２＿ｎ）に分配される、請求項２１または請求項２２に記載のデータ受信機（１１０）。
【請求項２４】
前記コアデータは、前記コアデータのそれぞれの部分が、前記サブデータパケット（１４２＿１：１４２＿ｎ）において、それぞれの前記（サブ）同期化シーケンスの前および後ろに等しく配置されるように、前記サブデータパケット（１４２＿１：１４２＿ｎ）に分配される、請求項２３に記載のデータ受信機（１１０）。
【請求項２５】
前記拡張データは、前記拡張データのそれぞれの部分が、前記サブデータパケット（１４２＿１：１４２＿ｎ）において、前記コアデータのそれぞれの部分に隣接して配置されるように、前記サブデータパケット（１４２＿１：１４２＿ｎ）に分配される、請求項２１〜請求項２４のいずれか１つに記載のデータ受信機（１１０）。
【請求項２６】
前記拡張データは、前記拡張データのそれぞれの部分が、前記サブデータパケット（１４２＿１：１４２＿ｎ）において、前記コアデータのそれぞれの部分の前および後ろに等しく配置されるように、前記サブデータパケット（１４２＿１：１４２＿ｎ）に分配される、請求項２５に記載のデータ受信機（１１０）。
【請求項２７】
前記コアデータは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）よりもコアデータのより大きい部分を含むように、前記（サブ）同期化シーケンスの長さに依存して、前記サブデータパケット（１４２＿１：１４２＿ｎ）に分配され、
前記データ受信機（１１０）は、それぞれの前記サブデータパケット（１４２＿１：１４２＿ｎ）に含まれる前記（サブ）同期化シーケンスの長さに基づいて、それぞれの前記サブデータパケット（１４２＿１：１４２＿ｎ）に含まれる前記コアデータの部分の長さを決定するように構成される、請求項２１〜請求項２６のいずれか１つに記載のデータ受信機（１１０）。
【請求項２８】
前記拡張データは、より長い（サブ）同期化シーケンスを持つサブデータパケット（１４２＿１：１４２＿ｎ）が、より短い（サブ）同期化シーケンスを持つサブデータパケット（１４２＿１：１４２＿ｎ）よりも拡張データのより大きい部分を含むように、前記（サブ）同期化シーケンスの長さに依存して、前記サブデータパケット（１４２＿１：１４２＿ｎ）に分配され、
前記データ受信機（１１０）は、それぞれの前記サブデータパケット（１４２＿１：１４２＿ｎ）に含まれる前記（サブ）同期化シーケンスの長さに基づいて、それぞれの前記サブデータパケット（１４２＿１：１４２＿ｎ）に含まれる前記拡張データの部分の長さを決定するように構成される、請求項２１〜請求項２６のいずれか１つに記載のデータ受信機（１１０）。
【請求項２９】
前記データ受信機（１１０）は、再符号化されたデータの第１の部分領域を得るために、前記（サブ）同期化シーケンスを使って前記可変長データ（１２０）のそれぞれの部分の第１の領域を復号化して再符号化するように構成され、
前記データ受信機（１１０）は、前記再符号化されたデータの第１の部分領域を使って前記可変長データ（１２０）のそれぞれの部分の第２の領域を復号化するように構成される、請求項２３〜請求項２８のいずれか１つに記載のデータ受信機（１１０）。
【請求項３０】
前記データ受信機（１１０）は、再符号化されたデータの第２の部分領域を得るために、再符号化されたデータの前記第１の部分領域を使って前記可変長データ（１２０）のそれぞれの部分の前記第２の領域を復号化するように構成され、
前記データ受信機（１１０）は、再符号化されたデータの前記第２の部分領域を使って可変長データ（１２０）のそれぞれの部分の第３の領域を復号化するように構成される、請求項２９に記載のデータ受信機（１１０）。
【請求項３１】
それぞれの前記サブデータパケット（１４２＿１：１４２＿ｎ）において、前記第１の領域は前記（サブ）同期化シーケンスに直接に隣接して配置され、前記第２の領域は前記第１の領域に直接に隣接して配置される、請求項２９または請求項３０に記載のデータ受信機（１１０）。
【請求項３２】
複数の前記サブデータパケットは、少なくとも２つのサブデータパケット（１４２＿１：１４２＿ｎ）のブロックの第１のブロックを個別に検出することができるように、少なくとも２つの独立した前記サブデータパケット（１４２＿１：１４２＿ｎ）のブロック（１６０＿１：１６０＿ｍ）に分離され、
前記データ受信機（１１０）は、前記サブデータパケット（１４２＿１：１４２＿ｎ）の少なくとも２つのブロックの前記第１のブロックを個別に検出するように構成される、請求項１７〜請求項３１のいずれか１つに記載のデータ受信機（１１０）。
【請求項３３】
前記少なくとも２つのサブデータパケット（１４２＿１：１４２＿ｎ）のブロック（１６０＿１：１６０＿ｍ）のうちの前記第１のサブデータパケットのブロックは、前記少なくとも２つのサブデータパケット（１４２＿１：１４２＿ｎ）のブロック（１６０＿１：１６０＿ｍ）のうちの第２のブロックについての情報を伴い、
前記データ受信機（１１０）は、前記情報を使って前記少なくとも２つのサブデータパケット（１４２＿１：１４２＿ｎ）のブロック（１６０＿１：１６０＿ｍ）の前記第２のブロックを受信するように構成される、請求項３２に記載のデータ受信機（１１０）。
【請求項３４】
請求項１〜請求項１６のいずれか１つに記載のデータ送信機（１００）と、
請求項１７〜請求項３３のいずれか１つに記載のデータ受信機（１１０）と、
を含む、システム。
【請求項３５】
可変長データを送信するための方法（２００）であって、
前記可変長データを特定の数のサブデータパケットに分配するステップ（２０２）と、
前記サブデータパケットを特定の時間間隔内で送信するステップ（２０４）とを含み、
前記可変長データはペイロードデータを含み、
個々の前記サブデータパケット（１４２＿１：１４２＿ｎ）のシンボルの数は、前記可変長データの長さに依存する、方法（２００）。
【請求項３６】
可変長データを受信するための方法（２１０）であって、
前記可変長データが分配される特定の時間間隔内に、特定の数のサブデータパケットを受信するステップ（２１２）を含み、
前記可変長データはペイロードデータを含み、
個々の前記サブデータパケット（１４２＿１：１４２＿ｎ）のシンボルの数は、前記可変長データの長さに依存する、方法（２１０）。
【請求項３７】
請求項３５または請求項３６に記載の方法を実行するためのコンピュータプログラム。
【国際調査報告】
2019533405.tif 000014
2019533405.tif 000015
2019533405.tif 000016
2019533405.tif 000017
2019533405.tif 000018
2019533405.tif 000019
2019533405.tif 000020
2019533405.tif 000021
2019533405.tif 000022
2019533405.tif 000023
2019533405.tif 000024